(57)【要約】  【課題】  本発明は、ネットワークに新規に追加したコンテンツファイルなどによるサービスが実施可能な通信端末装置を容易に識別することが可能な通信システム及びこの通信システムにおける通信端末装置を提供することを目的とする。  【解決手段】  ネットワーク１に携帯端末４が参加したとき、ネットワーク１に参加しているテレビ２及びステレオ７ａは、携帯端末４の所持しているコンテンツによるサービスの内、実施可能なサービスを確認する。そして、実施可能なサービスを確認したとき、テレビ２及びステレオ７ａは、実施可能なサービスをサービスリストに追加するとともに、報知部によって新規にサービスが追加されたことを報知する。【選択図】      図２
2006113880.tif 000002
【特許請求の範囲】
【請求項１】
サービスを所持する複数の通信端末装置によってネットワークが構築されるとともに、前記通信端末装置が同一のネットワークに参加している別の前記通信端末装置より提供されるサービスを実施することができる通信システムにおいて、
前記ネットワークに新たにサービスが追加されたとき、前記ネットワークに参加している前記通信端末装置のうちの当該サービスが実施可能な第１通信端末装置が、当該サービスが前記ネットワークに新たに追加されたことを報知することを特徴とする通信システム。
【請求項２】
前記通信端末装置が、参加している前記ネットワークにおけるサービスのうち自機器で実施することが可能なサービスが記載されたサービスリストを備えるとともに、
前記ネットワークにおける他の前記通信端末装置と相互に通信することで、前記ネットワークに新規に追加された自機器において実施可能なサービスが存在することを確認したとき、当該サービスリストに追加された実施可能な前記サービスを追加することを特徴とする請求項１に記載の通信システム。
【請求項３】
前記ネットワークにおける他の前記通信端末装置と相互に通信することで、前記サービスリストに記載されたサービスのうち、前記ネットワークから削除されたサービスが存在することを確認したとき、当該サービスリストから削除された前記サービスを削除することを特徴とする請求項２に記載の通信システム。
【請求項４】
前記サービスリストにおいて、リスト内に記載されている前記サービスの状態が示されることを特徴とする請求項２又は請求項３に記載の通信端末装置。
【請求項５】
前記サービスリストで示される前記サービスの状態の１つが、自機器の参加する前記ネットワークにおける他の前記通信端末装置又は自機器において実施されている状態であることを特徴とする請求項４に記載の通信端末システム。
【請求項６】
前記サービスリストで示される前記サービスの状態の１つが、現在実施可能な状態であることを特徴とする請求項４又は請求項５に記載の通信端末システム。
【請求項７】
前記サービスリストで示される前記サービスにおいて、実施可能なものから順に、実施するための優先順位が設定されることを特徴とする請求項４〜請求項６のいずれかに記載の通信端末システム。
【請求項８】
前記サービスリストで示される前記サービスにおいて、前記サービスリスに新規に追加されたものから順に、実施するための優先順位が設定されることを特徴とする請求項４〜請求項７のいずれかに記載の通信端末システム。
【請求項９】
前記サービスが前記ネットワークに新規に追加されてから所定時間が経過したことを、前記第１通信端末装置が確認すると、
該第１通信端末装置が、前記サービスが前記ネットワークに新たに追加されたことを報知することを停止することを特徴とする請求項１〜請求項８のいずれかに記載の通信システム。
【請求項１０】
前記サービスが前記ネットワークに新規に追加されてから所定時間が経過したことを、前記第１通信端末装置が確認すると、
該第１通信端末装置が、前記サービスを自動的に実施することを特徴とする請求項１〜請求項８のいずれかに記載の通信システム。
【請求項１１】
前記サービスが前記ネットワークに新規に追加された後、当該サービスが前記第１通信端末装置で実施することが制限されたとき、
該第１通信端末装置が、前記サービスが前記ネットワークに新たに追加されたことを報知することを停止することを特徴とする請求項１〜請求項１０のいずれかに記載の通信システム。
【請求項１２】
前記通信端末装置が、参加している前記ネットワーク内のサービスを実施しているとき、当該サービスを実施していることを報知することを特徴とする請求項１〜請求項１１のいずれかに記載の通信システム。
【請求項１３】
前記ネットワークに新たに参加した前記通信端末装置が確認されたときに、前記ネットワークに新たに参加した前記通信端末装が所持する前記サービスが前記ネットワークに新たに追加されたことを確認し、前記第１通信端末装置が前記サービスが新規に追加されたことを報知することを特徴とする請求項１〜請求項１２のいずれかに記載の通信システム。
【請求項１４】
前記ネットワークに参加している前記通信端末装置に記録媒体が設置されたことが確認されたときに、設置された前記記録媒体に基づく前記サービスが前記ネットワークに新たに追加されたことを確認し、前記第１通信端末装置が前記サービスが新規に追加されたことを報知することを特徴とする請求項１〜請求項１３のいずれかに記載の通信システム。
【請求項１５】
前記ネットワークに参加している前記通信端末装置の記録媒体にコンテンツが記録されたことが確認されたときに、前記記録媒体に記録されたコンテンツに基づく前記サービスが前記ネットワークに新たに追加されたことを確認し、前記第１通信端末装置が前記サービスが新規に追加されたことを報知することを特徴とする請求項１〜請求項１４のいずれかに記載の通信システム。
【請求項１６】
自機器が参加するネットワークに参加している他の通信端末装置と信号の送受信を行う通信インターフェースと、自機器又は前記他の通信端末装置で所持されるサービスを実施するサービス実施部と、を備える通信端末装置において、
前記通信インターフェースによって前記他の通信端末装置と通信を行うことにより、前記ネットワークに新たに実施可能なサービスが追加されたことを確認したとき、当該サービスが前記ネットワークに新たに追加されたことを報知する報知部を備えることを特徴とする通信端末装置。
【請求項１７】
参加している前記ネットワークにおけるサービスのうち自機器で実施することが可能なサービスが記載されたサービスリストを格納する設定記憶部を備え、
前記通信インターフェースによって前記他の通信端末装置と通信を行うことにより、前記ネットワークに新たに実施可能なサービスが追加されたことを確認したとき、当該サービスリストに追加された実施可能な前記サービスを追加することを特徴とする請求項１６に記載の通信端末装置。
【請求項１８】
前記通信インターフェースによって前記他の通信端末装置と通信を行うことにより、前記サービスリストに記載されたサービスのうち、前記ネットワークから削除されたサービスが存在することを確認したとき、当該サービスリストから削除された前記サービスを削除することを特徴とする請求項１７に記載の通信端末装置。
【請求項１９】
前記サービスリストにおいて、リスト内に記載されている前記サービスの状態が示されることを特徴とする請求項１７又は請求項１８に記載の通信端末装置。
【請求項２０】
前記サービスリストで示される前記サービスの状態の１つが、自機器の参加する前記ネットワークにおける他の前記通信端末装置又は自機器において実施されている状態であることを特徴とする請求項１９に記載の通信端末装置。
【請求項２１】
前記サービスリストで示される前記サービスの状態の１つが、現在実施可能な状態であることを特徴とする請求項１９又は請求項２０に記載の通信端末装置。
【請求項２２】
前記サービスリストで示される前記サービスにおいて、実施可能なものから順に、実施するための優先順位が設定されることを特徴とする請求項１７〜請求項２１のいずれかに記載の通信端末装置。
【請求項２３】
前記サービスリストで示される前記サービスにおいて、前記サービスリスに新規に追加されたものから順に、実施するための優先順位が設定されることを特徴とする請求項１７〜請求項２２のいずれかに記載の通信端末装置。
【請求項２４】
前記サービスが前記ネットワークに新規に追加されてから所定時間が経過したことを確認したとき、前記サービスが前記ネットワークに新たに追加されたことを前記報知部で報知することを停止することを特徴とする請求項１６〜請求項２３のいずれかに記載の通信端末装置。
【請求項２５】
前記サービスが前記ネットワークに新規に追加されてから所定時間が経過したことを確認したとき、新規に追加されたことが確認された前記サービスを前記サービス実施部によって実施することを特徴とする請求項１６〜請求項２３のいずれかに記載の通信端末装置。
【請求項２６】
前記サービスが前記ネットワークに新規に追加されてから所定時間が経過したことを確認するとともに、前記サービス実施部によって他のサービスが実施されていないとき、新規に追加されたことが確認された前記サービスを前記サービス実施部によって実施することを特徴とする請求項２５に記載の通信端末装置。
【請求項２７】
前記通信インターフェースによって前記他の通信端末装置と通信を行うことにより、前記ネットワークに新規に追加された前記サービスを実施することが制限されていることを確認したとき、前記サービスが前記ネットワークに新たに追加されたことを前記報知部で報知することを停止することを特徴とする請求項１６〜請求項２６のいずれかに記載の通信端末装置。
【請求項２８】
参加している前記ネットワーク内のサービスを前記サービス実施部において実施しているとき、当該サービスを実施していることを前記報知部によって報知することを特徴とする請求項１６〜請求項２７のいずれかに記載の通信端末装置。
【請求項２９】
前記報知部が、報知する内容によって点灯動作を変更する発光素子を備えることを特徴とする請求項１６〜請求項２８のいずれかに記載の通信端末装置。
【請求項３０】
前記報知部が表示によって報知動作を行うとき、前記サービスが前記ネットワークに新たに追加されたときと、前記サービスが実施されているときとによって、前記報知部による表示を切り換えることを特徴とする請求項１６〜請求項２９のいずれかに記載の通信端末装置。
【請求項３１】
前記報知部が発光素子を備えるとき、
前記報知部による表示の区別が、前記発光素子の発光する個数、前記発光素子の色、前記発光素子の発光間隔、及び、前記発光素子の発光順序のいずれかによって成されることを特徴とする請求項３０に記載の通信端末装置。
【請求項３２】
前記報知部が表示によって報知動作を行うとき、前記サービスの種類や提供するソースとなる通信端末装置の種類によって、前記報知部による表示を切り換えることを特徴とする請求項１６〜請求項３１のいずれかに記載の通信端末装置。
【請求項３３】
前記報知部が表示によって報知動作を行うとき、自機器の備える前記サービスの提供を許可した前記通信端末装置の台数に応じて、前記報知部による表示を切り換えることを特徴とする請求項１６〜請求項３２のいずれかに記載の通信端末装置。
【請求項３４】
前記報知部が表示によって報知動作を行うとき、前記サービスの提供が可能な前記通信端末装置の現在の台数に応じて、前記報知部による表示を切り換えることを特徴とする請求項１６〜請求項３３のいずれかに記載の通信端末装置。
【請求項３５】
前記報知部が、報知する内容を表示する表示部を備えることを特徴とする請求項１６〜請求項３４のいずれかに記載の通信端末装置。
【請求項３６】
前記報知部が、報知する内容によって音声出力方法を変更する音声出力部を備えることを特徴とする請求項１６〜請求項３５のいずれかに記載の通信端末装置。
【発明の詳細な説明】
【技術分野】
【０００１】
本発明は、コンテンツを送受信する通信システム及び通信端末装置に関するもので、特に、コンテンツを送受信するネットワークに参加している通信端末装置を自動的に確認できる通信システム及び通信端末装置に関する。
【背景技術】
【０００２】
近年、パーソナルコンピュータの普及が進んでいるが、このパーソナルコンピュータにおいて、マウス、ディスプレイ、プリンタなどの周辺機器が接続されると、その接続された周辺機器を判断してドライバを選んで使用可能な状態とするＰｎＰ（Plug and Play）機能が備えられているものが提供されている。更に、このＰｎＰ機能をネットワーク全体に拡張して、ネットワークを構築する装置や各装置の備えるサービスの検出と、そのサービスの制御を可能にしたＵＰｎＰ（Universal Plug and Play）機能が開発されている。そして、このＵＰｎＰ機能を備えたネットワークプリンタ、インターネットゲートウェイ、家電製品などの様々な電子機器が提供されている。
【０００３】
このＵＰｎＰ機能を備えた電子機器がネットワークに接続されると、アドレッシング処理を行うことによって、ＩＰアドレスなどの自己のデバイスＩＤを取得する。このようにしてデバイスＩＤを取得した電子機器はそれぞれ、自機器の備えるサービスとデバイスＩＤを含む自機器に関する情報を検出メッセージとして他の電子機器に送信する。そして、ネットワークを構築する各電子機器は、ネットワークに存在する他の電子機器からの検出メッセージを受信することで、ネットワークに存在する他の電子機器のデバイスＩＤとそのサービスを確認する。よって、コントロール機能を備えた電子機器が、コントロールポイントとして動作し、ネットワークに存在する他の電子機器に関する情報を参照して、そのサービスを要求することができる。
【０００４】
即ち、例えば、動画コンテンツや音声コンテンツを備えた電子機器と、映像再生や音声再生が可能な電子機器とによって、ＵＰｎＰ機能によるネットワークが構築されているとき、映像再生可能な電子機器より動画コンテンツの再生が要求されると、ネットワークにおける動画コンテンツを備えた全ての電子機器に関する情報が確認される。よって、映像再生可能な電子機器では、ネットワーク内で再生可能な動画コンテンツのリストが表示され、その中より再生を希望する動画コンテンツが選択されると、所望の動画コンテンツを備える電子機器から所望の動画コンテンツのデータを受信するとともに再生する。
【０００５】
しかしながら、このＵＰｎＰ機能においては、アプリケーション層までは規格されていないため、ネットワークを構成する電子機器のメーカが異なる場合などにおいて、各電子機器間で互換性がとれないという問題がある。即ち、各コンテンツファイルのフォーマットが統一されていないため、各メーカ独自のフォーマットでしかコンテンツファイルを扱うことのできない電子機器同士がＵＰｎＰ機能によるネットワーク内で接続された場合、自機器以外の電子機器が備えるコンテンツファイルを処理することができない。そこで、このようなファイルフォーマットにおける互換性をとるための規格が、ＤＬＮＡ（Digital Living Network Alliance）などで規定されようとしている。
【０００６】
又、本出願人は、ネットワークに接続された転送方式が異なる機器との間のデータ転送であっても、同じ操作でデータ転送が行えるデータ転送装置を提案した（特許文献１参照）。このデータ転送装置は、ネットワークに接続された電子機器それぞれが格納する各データのデータ属性が収集され、各データのデータ属性を表すリストを表示することができる。又、各電子機器において、格納したデータをディレクトリ毎に管理されている場合、データ転送装置では、ディレクトリ毎にリストの表示を切り替えて、所望のデータを選択することができる。そして、所望のデータのデータ属性に応じたプロトコルによってデータ転送を行うとともに、所望のデータのデータ属性に応じたコマンドセットによって操作することができるため、所望のデータを備えた電子機器をデータ転送装置により簡単に操作することができる。
【０００７】
このように、ＤＬＮＡや特許文献１で規定するような規格を使用することによって、ファイルフォーマット、コマンドセット、又は転送プロトコルのようなデータ属性の異なるデータについて、そのデータ属性とともにネットワーク内の電子機器で参照することができる。又、データ属性における互換性が与えられるため、ネットワーク内のデータ属性が異なるデータをそれぞれ処理することが可能となる。
【特許文献１】特許第３４７２４９８号
【発明の開示】
【発明が解決しようとする課題】
【０００８】
しかしながら、ネットワークより所望のデータを選択するように、コンテンツファイルを含む全てのデータをリスト表示することが規定されるとともに、このリスト表示されたデータがネットワーク内のいずれの電子機器においても取り扱うことが可能となるように、そのデータ属性に互換性が与えられていることが規定されているのみである。そのため、例えば、ユーザが視聴したいと思うコンテンツファイルを選択する場合、まず、視聴を行う電子機器の電源をＯＮとした後、この電子機器が表示するネットワーク上にある全てのコンテンツファイルのサービスリストより目的とするコンテンツファイルを選択する必要がある。
【０００９】
よって、記録メディアをネットワークにおける１つの記録メディア再生用の電子機器に設置し、記録メディアに記録したコンテンツの視聴が可能な電子機器により再生出力することを試みる場合、このコンテンツの視聴を行う電子機器において上述の選択動作を行う必要があり、その操作が煩雑なものとなる。又、所望のコンテンツファイルを視聴しようとするとき、ユーザが視聴しようとする電子機器が所望のコンテンツファイルを処理可能であるか否かは、その電子機器を含むネットワーク上の全ての電子機器に対するサービスリストを確認する必要がある。
【００１０】
よって、ユーザが視聴するために新たに記録メディアを記録メディア再生用の電子機器に設置したとき、この電子機器とは別に選択した電子機器において記録メディア内のコンテンツファイルが視聴不可能である場合は、視聴可能な電子機器を新たに選択し直す必要がある。このように、現在視聴するために設置した記録メディア内のコンテンツファイルが視聴可能か否かは、視聴するために選択した電子機器を動作させなければ確認できない。
【００１１】
このような問題を鑑みて、本発明は、ネットワークに新規に追加したコンテンツファイルなどによるサービスが実施可能な通信端末装置を容易に識別することが可能な通信システム及びこの通信システムにおける通信端末装置を提供することを目的とする。
【課題を解決するための手段】
【００１２】
上述の目的を達成するために、本発明の通信システムは、サービスを所持する複数の通信端末装置によってネットワークが構築されるとともに、前記通信端末装置が同一のネットワークに参加している別の前記通信端末装置より提供されるサービスを実施することができる通信システムにおいて、前記ネットワークに新たにサービスが追加されたとき、前記ネットワークに参加している前記通信端末装置のうちの当該サービスが実施可能な第１通信端末装置が、当該サービスが前記ネットワークに新たに追加されたことを報知することを特徴とする。
【００１３】
このとき、前記通信端末装置が、参加している前記ネットワークにおけるサービスのうち自機器で実施することが可能なサービスが記載されたサービスリストを備えるものとして、前記ネットワークにおける他の前記通信端末装置と相互に通信することで、前記ネットワークに新規に追加された自機器において実施可能なサービスが存在することを確認したとき、当該サービスリストに追加された実施可能な前記サービスを追加するとともに、前記ネットワークにおける他の前記通信端末装置と相互に通信することで、前記サービスリストに記載されたサービスのうち、前記ネットワークから削除されたサービスが存在することを確認したとき、当該サービスリストから削除された前記サービスを削除するものとしても構わない。
【００１４】
そして、前記サービスリストにおいて、リスト内に記載されている前記サービスの状態が示されるものとし、前記サービスリストで示される前記サービスの状態として、自機器の参加する前記ネットワークにおける他の前記通信端末装置又は自機器において実施されている状態や現在実施可能な状態が示されるものとしても構わない。又、前記サービスリストで示される前記サービスにおいて、実施可能なものから順に、実施するための優先順位が設定されるものとしても構わないし、前記サービスリストで示される前記サービスにおいて、前記サービスリスに新規に追加されたものから順に、実施するための優先順位が設定されるものとしても構わない。
【００１５】
又、前記サービスが前記ネットワークに新規に追加されてから所定時間が経過したことを、前記第１通信端末装置が確認すると、該第１通信端末装置が、前記サービスが前記ネットワークに新たに追加されたことを報知することを停止するものとしても構わないし、該第１通信端末装置が、前記サービスを自動的に実施するものとしても構わない。更に、これらのように動作するとき、前記サービスが前記ネットワークに新規に追加された後、当該サービスが前記第１通信端末装置で実施することが制限されたとき、該第１通信端末装置が、前記サービスが前記ネットワークに新たに追加されたことを報知することを停止する。又、前記通信端末装置が、参加している前記ネットワーク内のサービスを実施しているとき、当該サービスを実施していることを報知するものとしても構わない。
【００１６】
そして、前記ネットワークに新たに参加した前記通信端末装置が確認されたときや、前記ネットワークに参加している前記通信端末装置に記録媒体が設置されたことが確認されたときや、前記ネットワークに参加している前記通信端末装置の記録媒体にコンテンツが記録されたことが確認されたときに、前記ネットワークに新たに参加した前記通信端末装置が所持する前記サービスが前記ネットワークに新たに追加されたことを確認し、前記第１通信端末装置が前記サービスが新規に追加されたことを報知するものとしても構わない。
【００１７】
本発明の通信端末装置は、自機器が参加するネットワークに参加している他の通信端末装置と信号の送受信を行う通信インターフェースと、自機器又は前記他の通信端末装置で所持されるサービスを実施するサービス実施部と、を備える通信端末装置において、前記通信インターフェースによって前記他の通信端末装置と通信を行うことにより、前記ネットワークに新たに実施可能なサービスが追加されたことを確認したとき、当該サービスが前記ネットワークに新たに追加されたことを報知する報知部を備えることを特徴とする。
【００１８】
このような通信端末装置において、参加している前記ネットワークにおけるサービスのうち自機器で実施することが可能なサービスが記載されたサービスリストを格納する設定記憶部を備えるものとして、前記通信インターフェースによって前記他の通信端末装置と通信を行うことにより、前記ネットワークに新たに実施可能なサービスが追加されたことを確認したとき、当該サービスリストに追加された実施可能な前記サービスを追加するものとするとともに、又は、前記通信インターフェースによって前記他の通信端末装置と通信を行うことにより、前記サービスリストに記載されたサービスのうち、前記ネットワークから削除されたサービスが存在することを確認したとき、当該サービスリストから削除された前記サービスを削除するものとしても構わない。
【００１９】
このようにサービスリストを備えるとき、リスト内に記載されている前記サービスの状態が示されるものとし、自機器の参加する前記ネットワークにおける他の前記通信端末装置又は自機器において実施されている状態や、現在実施可能な状態が示されるものとしても構わない。又、前記サービスリストで示される前記サービスにおいて、実施可能なものから順に、又は、前記サービスリストで示される前記サービスにおいて、前記サービスリスに新規に追加されたものから順に、実施するための優先順位が設定されるものとしても構わない。
【００２０】
このような通信端末装置において、前記サービスが前記ネットワークに新規に追加されてから所定時間が経過したことを確認したとき、前記サービスが前記ネットワークに新たに追加されたことを前記報知部で報知することを停止するものとしても構わない。
【００２１】
又、前記サービスが前記ネットワークに新規に追加されてから所定時間が経過したことを確認したとき、新規に追加されたことが確認された前記サービスを前記サービス実施部によって実施するものとしても構わない。このとき、前記サービスが前記ネットワークに新規に追加されてから所定時間が経過したことを確認するとともに、前記サービス実施部によって他のサービスが実施されていないとき、新規に追加されたことが確認された前記サービスを前記サービス実施部によって実施するものとしても構わない。
【００２２】
そして、前記通信インターフェースによって前記他の通信端末装置と通信を行うことにより、前記ネットワークに新規に追加された前記サービスを実施することが制限されていることを確認したとき、前記サービスが前記ネットワークに新たに追加されたことを前記報知部で報知することを停止するものとしても構わない。
【００２３】
更に、参加している前記ネットワーク内のサービスを前記サービス実施部において実施しているとき、当該サービスを実施していることを前記報知部によって報知するものとしても構わない。
【００２４】
このとき、前記報知部が表示によって報知動作を行うとき、前記サービスが前記ネットワークに新たに追加されたときと、前記サービスが実施されているときとによって、前記報知部による表示を切り換えるものとしても構わない。又、前記報知部が発光素子を備えるとき、前記報知部による表示の区別が、前記発光素子の発光する個数、前記発光素子の色、前記発光素子の発光間隔、及び、前記発光素子の発光順序のいずれかによって成されるものとしても構わない。更に、前記報知部が表示によって報知動作を行うとき、前記サービスの種類や提供するソースとなる通信端末装置の種類や、自機器の備える前記サービスの提供を許可した前記通信端末装置の台数や、前記サービスの提供が可能な前記通信端末装置の現在の台数などによって、前記報知部による表示を切り換えるものとしても構わない。
【００２５】
これらの通信端末装置において、前記報知部が、報知する内容によって点灯動作を変更する発光素子、報知する内容を表示する表示部、報知する内容によって音声出力方法を変更する音声出力部のいずれかを備えるものとする。このとき、この報知する内容が、ネットワークに新たにサービスが追加すること、通信端末装置がサービスを実施していることなどを示す。
【発明の効果】
【００２６】
本発明によると、ネットワークに新規にサービスが追加されたとき、このサービスを実施することができる通信端末装置において、新規にサービスが追加されたことを報知するため、新たに追加したサービスを実施することができる通信端末装置を容易に確認することができる。又、サービスリストを備えることにより、このサービスリストを参照することによって、新規に追加されたサービスを容易に確認することができる。又、このサービスリストにおいて、各サービスの状態を記載することによって、サービスリストを参照して、実施可能な状態にあるサービスを容易に確認することができる。更に、通信端末装置がサービスを実施していることが報知されることで、通信端末装置の動作状態をユーザが容易に確認することができる。
【発明を実施するための最良の形態】
【００２７】
＜第１の実施形態＞
本発明の第１の実施形態について、図面を参照して説明する。図１は、本実施形態における通信システムの構成を示すブロック図である。尚、本実施形態を含め以下の各実施形態において、図１の通信システムにおいて、動画コンテンツや音声コンテンツなどのコンテンツファイルが、ネットワーク内のデータとして管理されるものとする。
【００２８】
図１の通信システムによるネットワーク１は、IEEE802.11a,b,gやBluetoothなどによる無線回線及び100BASE/Tや光ファイバなどの有線回線によって複数の通信端末装置（通信機能を備えた電子機器）が通信接続されたＬＡＮ（Local Area Network）により構築される。そして、図１の通信システムは、ネットワーク１において通信接続されるテレビ２、ＤＶＤ（Digital Versatile Disc）装置３、携帯端末４、ＰＣ（Personal Computer）５、ハードディスクレコーダ（以下、「ＨＤＲ」とする）６ａ，６ｂ、ステレオ７ａ，７ｂと、ＶＴＲ（Video Tape Recorder）８と、から構成されるものとする。このように構成されるとき、例えば、図２のように、複数の動画コンテンツや音声コンテンツを格納した携帯端末４を携帯したユーザが、テレビ２及びステレオ７ａでネットワーク１が構築された領域に入ることで、携帯端末４がネットワーク１による通信システムに組み込まれるものとする。
【００２９】
この図１に示す通信システムにおいて、携帯端末４、テレビ２、ステレオ７ａがそれぞれ、図３〜図５のように、ネットワーク１と無線通信による通信接続するための無線通信機能を備える構成となる。以下に、この携帯端末４、テレビ２、ステレオ７ａそれぞれの構成について、図３〜図５のブロック図を参照して説明する。
【００３０】
携帯端末４は、図３に示すように、信号の送受信を行うアンテナ４０１と、アンテナ４０１と接続するとともに信号の変復調を行う無線部４０２と、無線部４０２と信号のやりとりを行うともに信号の符号化及び復号化を行う無線制御部４０３と、入出力されるコンテンツファイルのデータを処理するデータ処理部４０４と、データ処理部４０４より与えられたコンテンツファイルのデータに基づいて映像及び音声を再生出力する映像表示部４０５及び音声出力部４０６と、コンテンツファイルのデータを含む各種データを格納するデータ記憶部４０７と、ネットワーク１内のサービスを表すサービスリストや自機器の動作状態を記憶する設定記憶部４０８と、ユーザにより入力操作が行われる操作部４０９と、外部からコンテンツファイルのデータが入力されるデータ入力部４１０と、外部にコンテンツファイルのデータを出力するデータ出力部４１１と、自機器の動作状態を外部に報知する報知部４１２と、自機器を構成する各ブロックの動作を制御する制御部４１３と、を備える。
【００３１】
この携帯端末４は、データ記憶部４０７において、各種アプリケーションを格納するアプリケーション記憶部４０７ａと、音声コンテンツファイルを格納する音声記憶部４０７ｂと、動画コンテンツファイルを格納する動画記憶部４０７ｃと、静止画像ファイルを格納する静止画記憶部４０７ｄと、を備える。
【００３２】
このように構成される携帯端末４は、アンテナ４０１よりコンテンツファイルのデータを含む信号を受信すると、無線部４０２で復調した後に無線制御部４０３で復号化することで得られたコンテンツファイルのデータがデータ処理部４０４に与えられる。そして、コンテンツファイルが動画コンテンツ又は静止画コンテンツである場合、このコンテンツファイルのデータが映像表示部４０５に与えられて映像表示され、又、コンテンツファイルが動画コンテンツ又は音声コンテンツである場合、このコンテンツファイルのデータが音声出力部４０６に与えられて音声出力される。
【００３３】
又、データ処理部４０４に与えられたコンテンツファイルのデータがデータ記憶部４０７に与えられると、そのコンテンツファイルの種類毎にデータ記憶部４０７に格納され、更に、コンテンツファイルのデータがデータ出力部４１１に与えられると、外部に出力される。又、データ入力部４１０より入力されるコンテンツファイルのデータについても、データ処理部４０４に与えられると、無線制御部４０３より与えられたコンテンツファイルのデータと同様、そのコンテンツファイルの種類に従って、映像表示部４０５、音声出力部４０６、データ記憶部４０７、データ出力部４１１に与えられる。又、データ記憶部４０７より読み出されてデータ処理部４０４に与えられたコンテンツファイルのデータについても、そのコンテンツファイルの種類に従って、映像表示部４０５、音声出力部４０６、データ出力部４１１に与えられる。
【００３４】
更に、入力部４１０より入力されるコンテンツファイルのデータ及びデータ記憶部４０７より読み出されたコンテンツファイルのデータは、データ処理部４０４より無線制御部４０３に与えられると、送信先のプロトコルに応じた符号化方式で符号化される。そして、無線部４０２において、この復号化された信号が送信先のプロトコルに応じた変調方式で変調された後、アンテナ４０１よりネットワーク１に送信される。このようにして、ネットワーク１と通信接続された他の装置に、コンテンツファイルを送信することができる。
【００３５】
このように装置が動作するとき、データ記憶部４０７のアプリケーション記憶部４０７ａに格納されたアプリケーションのデータが制御部４１３に与えられると、制御部４１３に与えられたアプリケーションのデータに基づいて、装置内の各ブロックの動作が制御される。又、データ入力部４１０及びデータ出力部４１１は、映像信号や音声信号をデジタル信号又はアナログ信号で入出力するＳ端子やＤ端子やコンポーネント端子などの映像・音声入出力端子又はIEEE1394やＵＳＢ（Universal Serial Bus）などのデータ入出力端子によって構成される。更に、データ入力部４１０は、映像を入力するためのカメラや音声を入力するためのマイクが接続される。
【００３６】
又、テレビ２は、図４に示すように、図３の携帯端末４と同様、ネットワーク１と無線通信を行うためのブロックであるアンテナ２０１、無線部２０２、及び無線制御部２０３と、コンテンツファイルのデータを処理するブロックであるデータ処理部２０４、映像表示部２０５、音声出力部２０６、データ記憶部２０７、データ入力部２１０、及びデータ出力部２１１と、ネットワーク１内のサービスリストや自機器の動作状態を記憶する設定記憶部２０８と、ユーザにより入力操作が行われる操作部２０９と、自機器の動作状態を外部に報知する報知部２１２と、自機器を構成する各ブロックの動作を制御する制御部２１３と、放送信号を受信してコンテンツファイルのデータとしてデータ処理部２０４に与えるチューナ部２１４と、を備える。
【００３７】
このテレビ２は、データ記憶部２０７において、受信したコンテンツファイルのデータを一時的に格納するとともに、チューナ部２１４において、地上波テレビ放送を受信する地上波用チューナ２１４ａと、ＢＳ（Broadcasting Satellite）テレビ放送を受信するＢＳ用チューナ２１４ｂと、ＣＳ（Communication Satellite）テレビ放送を受信するＣＳ用チューナ２１４ｃと、を備える。
【００３８】
このように構成されるテレビ２は、携帯端末４と同様、アンテナ２０１よりコンテンツファイルのデータを含む信号を受信すると、無線部２０２で復調した後に無線制御部２０３で復号化する。そして、得られたコンテンツファイルのデータがデータ処理部２０４に与えられると、このコンテンツファイルのデータが映像表示部２０５及び音声出力部２０６に与えられ、映像表示及び音声出力が成される。このとき、受信したコンテンツファイルのデータは、データ記憶部２０７において一時的に格納される。更に、無線制御部２０３より与えられたコンテンツファイルのデータを、データ出力部２１１より出力することで、データ出力部２１１に接続された外部機器に出力することができる。
【００３９】
又、データ入力部２１０より入力されるコンテンツファイルのデータやチューナ部２１４が受信動作を行うことで得られたコンテンツファイルのデータについても、データ処理部２０４に与えられると、無線制御部２０３より与えられたコンテンツファイルのデータと同様、そのコンテンツファイルの種類に従って、映像表示部２０５、音声出力部２０６、データ出力部２１１に与えられる。尚、このときも、データ処理部２０４に与えられるコンテンツファイルのデータは、データ記憶部２０７において一時的に格納される。
【００４０】
更に、データ入力部２１０より入力されるコンテンツファイルのデータ及びチューナ部２１４で受信されたコンテンツファイルのデータは、データ処理部２０４より無線制御部２０３に与えられると、符号化された後に無線部２０２において変調された後、アンテナ２０１よりネットワーク１に送信される。このようにして、ネットワーク１と通信接続された他の装置に、コンテンツファイルを送信することができる。
【００４１】
又、ステレオ７ａ，７ｂは、図５に示すように、図３の携帯端末４と同様、ネットワーク１と無線通信を行うためのブロックであるアンテナ７０１、無線部７０２、及び無線制御部７０３と、コンテンツファイルのデータを処理するブロックであるデータ処理部７０４、音声出力部７０６、データ入力部７１０、及びデータ出力部７１１と、ネットワーク１内のサービスリストや自機器の動作状態を記憶する設定記憶部７０８と、ユーザにより入力操作が行われる操作部７０９と、自機器の動作状態を外部に報知する報知部７１２と、自機器を構成する各ブロックの動作を制御する制御部７１３と、放送信号を受信してコンテンツファイルのデータとしてデータ処理部７０４に与えるチューナ部７１４と、記録メディアに対してデータの読み出し及び書き込みを行うメディア記録再生部７１５と、コンテンツの名称などを表示する表示部７１６と、を備える。
【００４２】
このステレオ７ａ，７ｂは、チューナ部７１４においてラジオ放送を受信するとともに、メディア記録再生部７１５において、ＣＤ（Compact Disk）やＣＤ−ＲやＣＤ−ＲＷのデータの読み出し及び書き込みを行うＣＤ用記録再生部７１５ａと、ＭＤ（Mini Disc）のデータの読み出し及び書き込みを行うＭＤ用記録再生部７１５ｂと、コンパクトフラッシュなどのメモリカードのデータの読み出し及び書き込みを行うメモリカード用記録再生部７１５ｃと、を備える。
【００４３】
このように構成されるステレオ７ａ，７ｂは、携帯端末４と同様、アンテナ７０１よりコンテンツファイルのデータを含む信号を受信すると、無線部７０２で復調した後に無線制御部７０３で復号化する。そして、得られたコンテンツファイルのデータがデータ処理部７０４に与えられると、音声出力部７０６に与えられて音声出力される。又、無線制御部７０３より与えられたコンテンツファイルのデータを、データ出力部７１１より出力することで、データ出力部７１１に接続された外部機器に出力することができる。
【００４４】
又、データ入力部７１０より入力されるコンテンツファイルのデータやチューナ部７１４が受信動作を行うことで得られたコンテンツファイルのデータやメディア記録再生部７１５で記録メディアより読み出されたコンテンツファイルのデータについても、データ処理部７０４に与えられると、音声出力部７０６又はデータ出力部７１１に与えられる。更に、データ入力部７１０より入力されるコンテンツファイルのデータ、チューナ部２１４で受信されたコンテンツファイルのデータ、及びメディア記録再生部７１５で記録メディアより読み出されたコンテンツファイルのデータは、データ処理部７０４より無線制御部７０３に与えられると、符号化された後に無線部７０２において変調された後、アンテナ７０１よりネットワーク１に送信される。
【００４５】
尚、このように構成される携帯端末４、テレビ２、ステレオ７ａ以外のＤＶＤ装置３、ＰＣ５、ＨＤＲ６ａ，６ｂ、ＶＴＲ８についても、ネットワーク１に通信接続する有線又は無線の通信機能を備えるとともに、その内部構成が、携帯端末４、テレビ２、ステレオ７ａのいずれかと同様の構成となる。
【００４６】
即ち、ＤＶＤ装置３が、図６に示すように、ネットワーク１と無線通信を行うためのブロックであるアンテナ３０１、無線部３０２、及び無線制御部３０３と、コンテンツファイルのデータを処理するブロックであるデータ処理部３０４、データ入力部３１０、データ出力部３１１、及びメディア記録再生部３１５と、設定記憶部３０８と、操作部３０９と、報知部３１２と、制御部３１３と、表示部３１６と、を備える。このＤＶＤ装置３は、メディア記録再生部３１５が、ＤＶＤに格納されたコンテンツファイルのデータを読み出すＤＶＤ用記録再生部として動作する。
【００４７】
又、ＰＣ５が、図７に示すように、ネットワーク１とケーブルによって有線接続して信号の変復調を行う通信接続部５０２と、通信接続部５０２と接続するとともに信号の符号化及び復号化を行う通信制御部５０３と、コンテンツファイルのデータを処理するブロックであるデータ処理部５０４、映像表示部５０５、音声出力部５０６、データ記憶部５０７、データ入力部５１０、データ出力部５１１、報知部５１２、及びメディア記録再生部５１５と、設定記憶部５０８と、操作部５０９と、制御部５１３と、を備える。
【００４８】
このＰＣ５は、データ記憶部５０７において、アプリケーション記憶部５０７ａと、音声記憶部５０７ｂと、動画記憶部５０７ｃと、静止画記憶部５０７ｄと、を備え、メディア記録再生部５１５において、ＣＤ用記録再生部５１５ａと、ＤＶＤ用記録再生部５１５ｂと、を備える。又、通信接続部５０２及び通信制御部５０３が、携帯端末４における無線部４０２及び無線制御部４０３と同様の動作を行うことで、ネットワーク１を通じて他の通信端末装置と信号の送受信を行うことができる。
【００４９】
又、ＨＤＲ６ａ，６ｂが、図８に示すように、ネットワーク１と無線通信を行うためのブロックであるアンテナ６０１、無線部６０２、及び無線制御部６０３と、コンテンツファイルのデータを処理するブロックであるデータ処理部６０４、データ記憶部６０７、データ入力部６１０、データ出力部６１１、及びチューナ部６１４と、設定記憶部６０８と、操作部６０９と、報知部６１２と、制御部６１３と、表示部６１６と、を備える。このＨＤＲ６ａ，６ｂは、データ記憶部６０７において、アプリケーション記憶部６０７ａと、音声記憶部６０７ｂと、動画記憶部６０７ｃと、静止画記憶部６０７ｄと、を備え、チューナ部６１４において、地上波用チューナ６１４ａと、ＢＳ用チューナ６１４ｂと、ＣＳ用チューナ６１４ｃと、を備える。
【００５０】
又、ＶＴＲ８が、図９に示すように、コンテンツファイルのデータを処理するブロックであるデータ処理部８０４、データ入力部８１０、データ出力部８１１、チューナ部８１４、及びメディア記録再生部８１５と、設定記憶部８０８と、操作部８０９と、報知部８１２と、制御部８１３と、表示部８１６と、を備える。このＶＴＲ８は、メディア記録再生部８１５が、ビデオテープに対してコンテンツファイルのデータの読み出し及び書き込みを行うＶＴＲ用記録再生部として動作し、又、チューナ部８１４において、地上波用チューナ８１４ａと、ＢＳ用チューナ８１４ｂと、ＣＳ用チューナ８１４ｃと、を備える。
【００５１】
このＨＤＲ６ａ，６ｂ及びＶＴＲ８はそれぞれ、自機器内において、チューナ部６１４，８１４それぞれで受信して得られたコンテンツファイルのデータを、データ処理部６０４，８０４を介して、データ記憶部６０７及びメディア記録再生部８１５に与えることで、放送信号より得られるコンテンツファイルをデータ記憶部６０７及び記録メディアそれぞれに格納することができる。
【００５２】
又、ＶＴＲ８において、そのデータ入力部８１０がテレビ２のデータ出力部２１１に接続されるとともに、そのデータ出力部８１１がテレビ２のデータ入力部２１０に接続される。同様に、ＤＶＤ装置３、ＨＤＲ６ａ，６ｂについても、そのデータ入力部３１０，６１０それぞれがテレビ２のデータ出力部２１１に接続されるとともに、そのデータ出力部３１１，６１１がテレビ２のデータ入力部２１０に接続されるものとしても構わない。
【００５３】
ネットワーク１に接続される各装置が上述のように構成される通信システムにおいて、コンテンツファイルを備えた通信端末装置がこの通信システムのネットワーク１に参加するとき、テレビ２、携帯端末４、ＰＣ５、ステレオ７ａ，７ｂなどのコンテンツの再生が可能な通信端末装置が図１の通信システム内で管理されるコンテンツファイルのサービスを表すサービスリストを更新する。即ち、コンテンツファイルの再生が可能な通信端末装置に保持されたサービスリストに、新たにネットワーク１に参加した通信端末装置が提供可能なコンテンツファイルのサービスを追加する。
【００５４】
又、このサービスリストの更新は、ＤＶＤ装置３やステレオ７ａ，７ｂやＶＴＲ８に対して、ユーザが再生を所望する記録メディアを投入したときや、ＰＣ５やＨＤＲ６ａ，６ｂなどで新たにコンテンツを記録したときなどにも行われる。更に、コンテンツファイルを備える通信端末装置が新たにネットワーク１に参加したときや、再生を所望する記録メディアがネットワーク１内の通信端末装置に投入されたとき、コンテンツの再生が可能な通信端末装置は、新たに追加されるコンテンツファイルの種類に応じて再生可能か不可能かを判断し、報知部によってユーザに自機器の動作状態を報知することで、その判断結果をユーザに認識させる。
【００５５】
このように各通信端末装置が動作する通信システムにおける動作の詳細について、以下に説明する。まず、テレビ２、携帯端末４、ＰＣ５、ステレオ７ａ，７ｂなどのコンテンツの再生が可能な通信端末装置や、ＤＶＤ装置３、携帯端末４、ＰＣ５、ＨＤＲ６ａ，６ｂ、ステレオ７ａ，７ｂ、ＶＴＲ８などのコンテンツの記録が可能な通信端末装置（以下、これらの通信端末装置を、総じて「コンテンツ記録再生端末装置」とする）におけるサービスリストの更新動作について説明する。図１０は、図１の構成の通信システムに、新たなコンテンツファイルが追加されたときのサービスリストの更新動作のフローチャートを示し、又、図１１は、図１の構成の通信システムからコンテンツファイルが削除されたときのサービスリストの更新動作のフローチャートを示す。
【００５６】
（サービスの追加）
コンテンツ記録再生端末装置において、図１０のフローチャートのように、まず、ネットワーク１に新たに参加した通信端末装置の探査を行う（ＳＴＥＰ１）。このとき、ネットワーク１において新たに参加要求する通信端末装置から送信される参加要求信号の存否を確認することで、新たに参加した通信端末装置の探査が行われる。そして、ネットワーク１に参加要求信号が送信されたことを確認し、新たにネットワーク１に参加したか否かが確認される（ＳＴＥＰ２）。
【００５７】
このとき、通信端末装置が新たにネットワーク１に参加したことが確認されたとき（Ｙｅｓ）、新たに参加した通信端末装置の参加要求信号より、この通信端末装置がネットワーク１に接続した通信方式（変調方式及び符号化方式）や取り扱うコンテンツファイルの種類（データ圧縮方式）などのデータ転送用のプロトコルが確認される（ＳＴＥＰ３）。尚、この参加要求信号には、参加要求する通信端末装置の位置を示すＩＰアドレスやＭＡＣアドレスなどとともに、取り扱うコンテンツファイルのデータに関するデータ転送用のプロトコルが含まれる。その後、コンテンツ記録再生端末装置自身におけるデータ転送用のプロトコルとコンテンツファイルを再生する再生動作機能とが確認される（ＳＴＥＰ４）。
【００５８】
このようにして、新たにネットワーク１に参加した通信端末装置とコンテンツ記録再生端末装置自身のデータ転送用のプロトコル及び再生動作機能を確認すると、確認した双方のデータ転送用のプロトコルと再生動作機能とを比較して、新たにネットワーク１に参加した通信端末装置より、コンテンツ記録再生端末装置自身で実施可能なサービスが提供されているか否かを確認する（ＳＴＥＰ５）。そして、実施可能なサービスが提供されている場合（Ｙｅｓ）、この新たに参加した通信端末装置に対して、コンテンツ記録再生端末装置におけるデータ転送用のプロトコルを示す信号を送信して、相互にコンテンツ記録再生端末装置で処理可能とするデータ転送用のプロトコルを設定する（ＳＴＥＰ６）。
【００５９】
このＳＴＥＰ６では、新たに参加した通信端末装置と通信を行うことで、新たに参加した通信端末装置から提供されるサービスをコンテンツ記録再生端末装置で実施可能とするように要求する。即ち、新たに参加した通信端末装置とコンテンツ記録再生端末装置との間でデータ転送用のプロトコルの少なくとも一部が異なるとき、新たに参加した通信端末装置のデータ転送用のプロトコルに応じてコンテンツ記録再生端末装置で処理可能となるように、コンテンツ記録再生端末装置のデータ転送用のプロトコルを変更するか、又は、新たに参加した通信端末装置において、コンテンツ記録再生端末装置のデータ転送用で処理可能なデータ転送用のプロトコルに変更することで、両装置のデータ転送用のプロトコルの一致を図る。又、このとき、両装置のデータ転送用のプロトコルの一致が不可能であるときは、通信不可能とする。
【００６０】
このように、ＳＴＥＰ６において、新たに参加した通信端末装置と通信を行った後に、実施可能とされたサービスに対して、新たに参加した通信端末装置とコンテンツ記録再生端末装置の両装置のデータ転送用のプロトコルを一致させて、通信することが可能であるか否かが確認される（ＳＴＥＰ７）。即ち、コンテンツ記録再生端末装置で処理可能とするデータ転送用のプロトコルが設定できたか否かが確認される。
【００６１】
又、ＳＴＥＰ２において、通信端末装置が新たにネットワーク１に参加したことが確認されなかったとき（Ｎｏ）、既にネットワーク１に参加している他の通信端末装置より新たにコンテンツファイルがサービスとして加えられたことを示すサービス追加信号を探査する（ＳＴＥＰ８）。そして、ネットワーク１にサービス追加信号を受信したか否かを確認することで、ネットワーク１に参加している他の通信端末装置に新たにサービスが追加されたか否かを確認する（ＳＴＥＰ９）。
【００６２】
そして、コンテンツ追加信号を受信したことが確認されると（Ｙｅｓ）、コンテンツ追加信号によって、他の通信端末装置に新たに追加されたコンテンツファイルの種類などのサービスの内容が確認される（ＳＴＥＰ１０）。その後、ＳＴＥＰ５に移行して、この確認されたサービスの内容に基づいて、他の通信端末装置に追加されたサービスがコンテンツ記録再生端末装置で実施可能か否かが確認される。又、ＳＴＥＰ７において、新たに参加した通信端末装置と通信可能であることが確認されると（Ｙｅｓ）、サービスリストに新たに追加されたコンテンツファイルのサービスが追加される（ＳＴＥＰ１１）。
【００６３】
そして、ＳＴＥＰ１１において、サービスリストへの追加動作を行ったとき、又は、ＳＴＥＰ７において、実施可能としたサービスに対する通信が不可能であることが確認されたとき（Ｎｏ）、ＳＴＥＰ５に移行して、実施可能なサービスが更にあるか否かが確認される。又、ＳＴＥＰ５において、提供されるサービスが実施不可能であるとき（Ｎｏ）、又は、ＳＴＥＰ９において、コンテンツ追加信号の受信が確認されなかったとき（Ｎｏ）、ＳＴＥＰ１に移行して、再度、ネットワーク１に新たに参加した通信端末装置及び既に参加している通信端末装置へのコンテンツファイルによるサービスの追加を探査する。
【００６４】
このように、図１０のフローチャートによる動作を行うことで、まず、ネットワーク１に新たに参加した通信端末装置及び既に参加している通信端末装置へのコンテンツファイルによるサービスの追加を探査する。そして、このとき、新たに通信端末装置が新たに参加した場合は、新たに参加した通信端末装置におけるサービスがサービスリストに追加され、又、既にネットワーク１に参加している通信端末装置に新たなサービスが追加された場合は、この追加されたサービスがサービスリストに追加される。
【００６５】
このサービスツリストへのサービスの追加動作について、テレビ２を例にして簡単に説明する。このとき、例えば、携帯端末４がネットワーク１に新たに参加して、携帯端末４より参加要求信号が送信されると、テレビ２は、アンテナ２０１で携帯端末４からの参加要求信号をネットワーク１を介して受信する。そして、無線部２０２で復調した後に無線制御部２０３で復号化すると、復号化した参加要求信号を制御部２１３に与える。制御部２１３では、参加要求信号に含まれるＩＰアドレスやＭＡＣアドレスより携帯端末４のネットワーク１内のアドレス位置を確認するとともに、参加要求信号に含まれるデータ転送用のプロトコルより携帯端末４の通信方式を確認する。又、参加要求信号には、携帯端末４によって提供可能なコンテンツファイルのサービスに関する情報も含まれるため、サービスとして提供される各コンテンツファイルのファイル名及びデータの種類が確認される。
【００６６】
そして、設定記憶部２０８において、携帯端末４のネットワーク１内のアドレス位置とその通信方式とを格納する。又、このとき、設定記憶部２０８内に格納されたテレビ２のデータ転送用のプロトコルと、受信した参加要求信号より確認される携帯端末４のデータ転送用のプロトコルとを比較することで、携帯端末４によって提供可能なサービスより、テレビ２で実施可能なサービスが確認される。即ち、テレビ２において再生可能である音声コンテンツファイルや動画コンテンツファイルや静止画コンテンツファイルにおけるサービスが確認される。
【００６７】
このようにして、テレビ２で実施可能なサービスが確認されると、携帯端末４に対して、設定記憶部２０８内に格納されたテレビ２のデータ転送用のプロトコルを示す信号を、無線制御部２０３、無線部２０２及びアンテナ２０１よりネットワーク１を介して送信する。そして、テレビ２と携帯端末４との間で、携帯端末４の格納する各種類のコンテンツファイルそれぞれに対して、テレビ２で処理可能なデータ転送用のプロトコルに変換可能か否かが確認される。
【００６８】
そして、テレビ２で処理可能なデータ転送用のプロトコルに変換可能となるサービスについては、テレビ２及び携帯端末４におけるデータ転送用のプロトコルの一致を図る。このようにして、テレビ２及び携帯端末４におけるデータ転送用のプロトコルを一致させたコンテンツファイルのサービスを確認すると、この確認されたコンテンツファイルのサービスを設定記憶部２０８に格納しているサービスリストに追加する。
【００６９】
又、例えば、ＤＶＤ装置３に新たにＤＶＤが設置されて、設置されたＤＶＤに格納されたコンテンツファイルが確認されると、この確認されたコンテンツファイルによるサービスが追加されたことを示す追加信号が生成されて、ＤＶＤ装置３より送信される。この追加信号には、ＤＶＤに格納されたコンテンツファイルのファイル名及び種類を示す情報が含まれる。テレビ２が、このコンテンツ追加信号をアンテナ２０１でネットワーク１を介して受信すると、無線部２０２で復調した後に無線制御部２０３で復号化して、制御部２１３に送出する。そして、制御部２１３において、コンテンツ追加信号に含まれるＩＰアドレスやＭＡＣアドレスよりＤＶＤ装置３のネットワーク１内のアドレス位置を確認するとともに、コンテンツ追加信号に含まれる追加されたコンテンツファイルの情報を確認する。
【００７０】
そして、この追加されたコンテンツファイルの情報を確認すると、コンテンツファイルのファイル名及び種類が認識され、コンテンツファイルの種類よりテレビ２で再生可能か否かが確認される。そして、追加されたコンテンツファイルの種類が再生可能なコンテンツファイルの種類であるとともに、この追加されたコンテンツファイルのデータ圧縮方式が、ＤＶＤ装置３又はテレビ２において、テレビ２で処理可能なデータ圧縮方式に変換されるとき、この確認されたコンテンツファイルによるサービスを設定記憶部２０８に格納しているサービスリストに追加する。
【００７１】
尚、ネットワーク１にコンテンツ記録再生端末装置が新たに参加したとき、参加要求信号を送信した後に、既にネットワーク１に参加している他の通信端末装置とサービスの整合性をとるために通信を行う際に、他の通信端末装置が提供するサービスを確認する。このとき、図１０のフローチャートにおけるＳＴＥＰ３〜ＳＴＥＰ７と同様の動作を行った後、実施可能となるサービスを自機器のサービスリストとして格納する。
【００７２】
（サービスの削除）
又、上述のようにしてサービスリストに、ネットワーク１に新たに参加した通信端末装置におけるサービスや、ネットワーク１に既に参加している通信端末装置に追加されたサービスが、自機器で実施可能であるときに追加される。このとき、ネットワーク１に既に参加している通信端末装置において、電源がＯＦＦとされた通信端末装置やネットワーク１から離脱した通信端末装置があるとき、又は、ネットワーク１に参加している通信端末装置に設置されている記録メディアがその通信端末装置より外されたとき、アクセス不可能となるサービスがコンテンツ記録再生端末装置のサービスリストより削除される。
【００７３】
このときのコンテンツ記録再生端末装置の動作について、図１１のフローチャートを参照して説明する。まず、コンテンツ記録再生端末装置は、削除判定するためのサービスとして、自機器が格納しているサービスリストに最初に格納されたサービスを設定すると（ＳＴＥＰ１０１）、削除判定するためのサービスとして設定されたサービスのサービスリストにおける存否を確認する（ＳＴＥＰ１０２）。そして、この設定したサービスがサービスリスト内に存在することが確認されると（Ｙｅｓ）、このサービスを提供する通信端末装置をサービスリストより認識するとともに、認識した通信端末装置に対してサービスの存否の問い合わせを行う（ＳＴＥＰ１０３）。
【００７４】
このように認識した通信端末装置に対して問い合わせを行うと、まず、この認識した通信端末装置と通信可能か否かが確認される（ＳＴＥＰ１０４）。このとき、認識した通信端末装置に対する問い合わせに対する応答信号を受信し、通信可能であることが確認されると（Ｙｅｓ）、この認識した通信端末装置からの応答信号の内容が確認される（ＳＴＥＰ１０５）。そして、この応答信号より、その存否が確認されるサービスが実施可能であるか否かが確認される（ＳＴＥＰ１０６）。
【００７５】
このように動作するとき、ＳＴＥＰ１０４において、ＳＴＥＰ１０３で認識した通信端末装置からの応答信号が受信されなかったとき（Ｎｏ）、又は、ＳＴＥＰ１０６において、受信した応答信号よりサービスが提供されず実施不可能であることが確認されたとき（Ｎｏ）、サービスリストからのサービスの削除を行う（ＳＴＥＰ１０７）。即ち、通信端末装置との通信が不可能であることが確認されたときは、ＳＴＥＰ１０３で認識した通信端末装置の提供するサービスを全てサービスリストより削除し、又、ＳＴＥＰ１０３で問い合わせを行ったサービスがネットワーク１に存在しないことが確認されたときは、このサービスをサービスリストから削除する。
【００７６】
又、ＳＴＥＰ１０６においてサービスが実施可能であることが確認されたとき（Ｙｅｓ）、又は、ＳＴＥＰ１０７においてサービスリストからのサービスの削除を行ったとき、削除判定するためのサービスとして、サービスリストにおける次のサービスが設定される（ＳＴＥＰ１０８）。更に、ＳＴＥＰ１０２において、ＳＴＥＰ１０１又はＳＴＥＰ１０８において設定されたサービスがサービスリスト内に存在しないことが確認されると、ＳＴＥＰ１０１に移行して、削除判定するためのサービスとして、サービスリストの最初のサービスが設定される。
【００７７】
このサービスツリストからのサービスの削除動作について、テレビ２を例にして簡単に説明する。このとき、設定記憶部２０８に格納しているサービスリストに含まれるサービスの存否を確認するために、その存否を確認するサービスを備えた通信端末装置をサービスリストより認識する。そして、認識した通信端末装置に対してサービスの存否を問い合わせるための問い合わせ用の信号を制御部２１３で生成すると、無線制御部２０３、無線部２０２、及びアンテナ２０１を介して送信する。
【００７８】
このとき、例えば、ネットワーク１に参加していた携帯端末４がネットワーク１から離脱した場合、携帯端末４に対して送信した問い合わせ用の信号に対する携帯端末４からの応答信号を、アンテナ２０１、無線部２０２、及び無線制御部２０３を介して受信することがない。よって、この携帯端末４がネットワーク１から離脱したことを認識し、問い合わせ用の信号によって存否を問い合わせたサービスがネットワーク１に存在しないことが確認されて、サービスリストから削除される。
【００７９】
又、例えば、ＤＶＤ装置３に設置されたＤＶＤが取り外された場合、ＤＶＤ装置３が、アンテナ３０１、無線部３０２、及び無線制御部３０３を介して、テレビ２からの問い合わせ用の信号を受信する。そして、この問い合わせ用の信号を制御部３１３で確認すると、この信号によって、テレビ２からサービスの存否の問い合わせが成されていることを認識する。この問い合わされているサービスが、メディア記録再生部３１５より外されたＤＶＤに格納されたコンテンツによるサービスである場合、問い合わされているサービスがないことを示す応答信号が制御部３１３で生成される。
【００８０】
そして、応答信号がアンテナ３０１、無線部３０２、及び無線制御部３０３を介してＤＶＤ装置３から送信されると、テレビ２が、この応答信号をアンテナ２０１、無線部２０２、及び無線制御部２０３を介して受信する。よって、テレビ２は、受信した応答信号により、存否を確認したサービスが既にＤＶＤ装置３に存在しないことを確認すると、問い合わせ用の信号によって存否を問い合わせたサービスがネットワーク１に存在しないことが確認されて、サービスリストから削除される。
【００８１】
（サービスリスト）
このようにして、コンテンツ記録再生端末装置が参加しているネットワーク１に存在するサービスによるサービスリストには、ネットワーク１に参加している通信端末装置の備えるコンテンツのサービスにおいてコンテンツ記録再生端末装置で再生可能なコンテンツのサービスによって構成される。そして、このサービスリストには、図１２又は図１３に示すように、リスト内に含まれるサービスに対して、そのサービスの種別、コンテンツ名、品質、保持されている通信端末装置、保持されている通信端末装置と接続される通信媒体、サービス追加されたときにサービス開始を要求するためのキー、サービスの現在の状態がそれぞれ、表記される。
【００８２】
このとき、サービスの種別を示す「動画再生」、「静止画再生」、及び「音声再生」それぞれによって、動画コンテンツ、静止画コンテンツ、及び音声コンテンツそれぞれを再生するサービスであることが示される。又、動画に対する品質を示す「ＳＤ」、「ＨＤ」、及び「Ｍｐｅｇ４」によって、動画コンテンツの圧縮方式や圧縮率や解像度などが示され、又、静止画に対する品質を示す「ＶＧＡ」、「ＧＩＦ」、「ＪＰＥＧ」、及び「ＢＭＰ」によって、静止画コンテンツの圧縮方式や圧縮率や解像度などが示され、更に、音声に対する品質を示す「ＭＰ３」、「ＣＤ」、「ＭＤ」、及び「ＷＡＶ」によって、音声コンテンツの圧縮方式や圧縮率などが示される。
【００８３】
更に、通信相手を示す「ＤＶＤ装置３」、「携帯端末４」、「ＰＣ５」、「ＨＤＲ６ａ」、「ＨＤＲ６ｂ」、「ステレオ７ａ」、「ステレオ７ｂ」、及び「ＶＴＲ８」によって、各サービスが保持されている通信端末装置が示される。又、通信媒体を示す「IEEE1394」、「ＵＳＢ」、「Ｓ端子」、「Ｄ端子」、「100BASE/T」、「Bluetooth」、及び「IEEE802.11a/b/g」によって、サービスが保持されている通信端末装置と接続される通信媒体が示される。又、操作部におけるキーを示す「Ａｎｙ」及び「０」〜「９」によって、サービスの利用を指定するためのキーが示される。尚、「Ａｎｙ」は、他に使用されている数字キー以外のいずれのキーによっても、そのサービスの利用が指定されることを示す。
【００８４】
又、状態を示す「Ｎｏｗ」、「Ｒｅａｄｙ」、「Ａｃｔｉｖｅ」、「Ｓｔｏｐ」、及び「Ｓｌｅｅｐ」それぞれによって、そのサービスの現在の状態がどのような状態であるかを示す。即ち、「Ｎｏｗ」が、ネットワーク１に最も新規に追加された実施可能なサービスであることを示し、「Ｒｅａｄｙ」が、比較的最近にネットワーク１に追加されるとともにすぐにでも実施可能なサービスであることを示し、「Ａｃｔｉｖｅ」が、現在提供中のサービスであることを示し、「Ｓｔｏｐ」が、現在停止中のサービスであることを示し、「Ｓｌｅｅｐ」が、現在待機中のサービスであることを示す。
【００８５】
更に、このサービスリストにおいて、新規に追加されるなどして、その提供を優先的に求められるサービスがリストの上位となるように、格納されるサービスの順位が設定される。このとき、サービスが追加された時刻に応じて、その提供の優先度の順位が設定されるものとしても構わないし、「Ｎｏｗ」、「Ｒｅａｄｙ」、「Ａｃｔｉｖｅ」、「Ｓｔｏｐ」、及び「Ｓｌｅｅｐ」によって示される状態によって、その提供の優先度の順位が設定されるものとしても構わない。
【００８６】
このサービスリストの例として、テレビ２が備えるサービスリストの一部を図１２に示すとともに、ステレオ７ａが備えるサービスリストの一部を図１３に示す。即ち、テレビ２においては、動画コンテンツ、静止画コンテンツ、及び音声コンテンツを再生することができるため、ネットワーク１上に存在する動画コンテンツ、静止画コンテンツ、及び音声コンテンツによるサービスが、そのサービスリストに表記される。それに対して、ステレオ７ａにおいては、音声コンテンツのみしか再生可能でないため、ネットワーク１上に存在する音声コンテンツによるサービスのみが、そのサービスリストに表記される。
【００８７】
（サービスの開始判定）
又、コンテンツ記録再生端末装置は、上述のようにして参加しているネットワーク１に存在するサービスによるサービスリストを生成するとき、自機器の参加しているネットワーク１に新しいサービスが追加されると、この新規に追加されたサービス（新規追加サービス）の状態が報知部によって示される。そして、このとき、新規追加サービスの提供が求められると、この新規追加サービスの提供が開始される。又、この報知部は、コンテンツ記録再生端末装置においてネットワーク１におけるサービスが選択されてサービスが提供されていることについても、外部に報知することができる。以下では、この新規追加サービスの実施開始を判定するための動作について、図１４のフローチャートを参照するとともに、テレビ２における動作を例にして説明する。
【００８８】
このサービス開始判定動作において、まず、ネットワーク１への新規追加サービスが認識されて、設定記憶部２０８に記憶されているサービスリストへの追加が行われたか否かを確認する（ＳＴＥＰ１５１）。このとき、設定記憶部２０８内のサービスリストへの追加が確認されるまで、ＳＴＥＰ１５１での確認動作が行われる。そして、サービスリストへの追加が確認されると（Ｙｅｓ）、テレビ２が実施可能な新規追加サービスがネットワーク１に存在することが報知部２１２によって報知される（ＳＴＥＰ１５２）。
【００８９】
尚、本実施形態では、この報知部２１２が発光素子で構成され、「点滅」、「点灯」、「消灯」によって、外部へ情報を報知するものとする。そして、報知部２１２が点滅しているとき、テレビ２が実施可能な新規追加サービスがネットワーク１に存在することが報知され、報知部２１２が点灯しているとき、テレビ２がサービスの提供をうけていることが報知され、報知部２１２が消灯しているとき、テレビ２が実施可能な新規追加サービスがネットワーク１に存在しないことが報知される。
【００９０】
その後、制御部２１３において、サービスリストに追加された新規追加サービスがネットワーク１に追加されてからの時間（以下、「ネットワーク所属時間」とする）を測定するためのタイマ（不図示）が初期化されて、ネットワーク所属時間の計測が開始される（ＳＴＥＰ１５３）。そして、このネットワーク所属時間が所定時間になったか否かが、制御部２１２において確認される（ＳＴＥＰ１５４）。このとき、ネットワーク所属時間が所定時間に達していないとき（Ｎｏ）、この新規追加サービスの提供を求めるための対応操作が可能な状態となる（ＳＴＥＰ１５５）。
【００９１】
そして、操作部２０９が操作されて、新規追加サービスの提供を求められたか否かが確認される（ＳＴＥＰ１５６）。即ち、図１２のようなサービスリストが設定記憶部２０８に格納されているとき、状態「Ｎｏｗ」で表される新規追加サービスの提供を求めるためのキー「Ａｎｙ」が操作されたか否かが確認される。このとき、新規追加サービスの提供を求められたことを確認すると（Ｙｅｓ）、報知部２１２によるサービスの提供を受けていることを示す報知動作（点灯動作）を開始する（ＳＴＥＰ１５７）。即ち、報知部２１２による報知動作を、新規追加サービスが存在することを示す報知動作（点滅動作）から、サービスの提供をうけていることを示す報知動作（点灯動作）に切り換える。
【００９２】
このように、報知部２１２によるサービスの提供を受けていることを示す報知動作（点灯動作）を開始するとともに、新規追加サービスを備える通信端末装置に対して、新規追加サービスの提供を求めて新規追加サービスが提供され、この新規追加サービスを実施する（ＳＴＥＰ１５８）。即ち、例えば、新規追加サービスとなる動画コンテンツによるサービスの提供が求められると、通信端末装置が所持する動画コンテンツをアンテナ２０１、無線部２０２、及び無線制御部２０３で受信する。その後、データ処理部２０４でその動画コンテンツに対して設定した復号化及び信号処理を施すことで、映像及び音声をそれぞれ映像表示部２０５及び音声出力部２０６より再生出力する。又、このとき、新規追加サービスの状態を変換して、設定記憶部２０８におけるサービスリストの更新を行い（ＳＴＥＰ１５９）、動作を終了する。即ち、例えば、サービスリストにおいて、この新規追加サービスの状態を、提供されていることを示す「Ａｃｔｉｖｅ」に変換する。
【００９３】
又、ＳＴＥＰ１５４において、ネットワーク所属時間が所定時間に達したことが確認されると（Ｙｅｓ）、他のサービスの実施、即ち、映像表示部２０５及び音声出力部２０６によってコンテンツの再生動作を行っているか否かの確認が行われる（ＳＴＥＰ１６０）。このとき、他のサービスの実施を行っていない場合は（Ｎｏ）、報知部２１２による新規追加サービスが存在することを示す報知動作（点滅動作）を停止して、新規追加サービスが存在しないものとする報知動作（消灯動作）に切り換えられる（ＳＴＥＰ１６１）。又、他のサービスの実施を行っている場合においては（Ｙｅｓ）、報知部２１２の報知動作を、新規追加サービスが存在することを示す報知動作（点滅動作）から、サービスの実施を行っていることを示す報知動作（点灯動作）に切り換えられる（ＳＴＥＰ１６２）。
【００９４】
そして、ＳＴＥＰ１６１及びＳＴＥＰ１６２のように報知部２１２の報知動作が切り換えられると、すぐにでも実施可能なサービスであることを示す「Ｒｅａｄｙ」を新規追加サービスの状態とするように、設定記憶部２０８におけるサービスリストの更新を行い（ＳＴＥＰ１６３）、動作を終了する。更に、ＳＴＥＰ１５６において、操作部２０９が操作されず、新規追加サービスの提供を求められなかった場合は（Ｎｏ）、ＳＴＥＰ１５４に移行し、ネットワーク所属時間が所定時間に達したか否かが確認される。
【００９５】
尚、このようにサービスの開始判定動作が行われる際、ＳＴＥＰ１５６において、新規追加サービスの提供を求められたか否かが確認されるときに、操作部の特定のキーによって新規追加サービスの提供が求められる場合において、以下のような動作を行うものとしても構わない。このとき、新規追加サービスが単一である場合は、その単一の新規追加サービスが特定されて、サービス提供が自動的に開始される。又、新規追加サービスが複数である場合は、複数の新規追加サービスがそのサービスを特定するキーとともに映像表示部や表示部などに表示されるとともに、提供を要求するサービスを特定するキーが操作されると、操作されたキーにより特定されるサービスの提供が開始される。
【００９６】
このように各動作を行う通信端末装置により構成される通信システムにおける動作例について、図１５及び図１６を参照して説明する。尚、本動作例を説明するに当たって、ネットワーク１には、テレビ２と、ＤＶＤ装置３と、ステレオ７ａとが既に参加しているとともに、このネットワーク１に、携帯端末４が新たに参加するものとする。又、ＤＶＤ装置３については、コンテンツデータの読み出しのみが可能な装置であり、コンテンツの記録動作ができないものとする。更に、図１５には、ユーザの動作に対する、テレビ２、ＤＶＤ装置３、携帯端末４、及びステレオ７ａの状態遷移を示す図である。又、図１６は、図１５の状態遷移を模式的に説明するための図である。
【００９７】
まず、図１６（ａ）のように、ユーザが携帯端末４を携帯して外出中であるとき（ＳＴＥＰ２０１）、テレビ２、ＤＶＤ装置３、携帯端末４、及びステレオ７ａはそれぞれ通信相手となる通信端末装置及びこの通信端末装置の保持するサービスをサーチする（ＳＴＥＰ２０２ａ〜２０２ｄ）。このとき、携帯端末４以外の通信端末装置については、お互いに通信可能なネットワーク１を構築しているため、自機器以外の通信端末装置を認識するとともに、テレビ２及びステレオ７ａがネットワーク１に存在する自機器が実施可能なサービスを認識する（ＳＴＥＰ２０３ｂ〜２０３ｄ）。尚、既にネットワーク１が構築されているものとし、それぞれのサービスについては、既に相互に認識しているものとする。その後、携帯端末４が通信相手を確認できないため、又、新たにサービスがネットワーク１に追加された状態ではないため、テレビ２、ＤＶＤ装置３、携帯端末４、及びステレオ７ａが、ユーザによる操作待ちの状態となる（ＳＴＥＰ２０４ａ〜２０４ｄ）。
【００９８】
このように動作するとき、通信端末装置をサーチすることで、テレビ２がＤＶＤ装置３及びステレオ７ａを認識し、ＤＶＤ装置３がテレビ２及びステレオ７ａを認識し、ステレオ７ａがテレビ２及びＤＶＤ装置３を認識する。このとき、サービスについてもサーチされるため、テレビ２がＤＶＤ装置３及びステレオ７ａのサービスを認識し、ステレオ７ａがテレビ２及びＤＶＤ装置３のサービスを認識する。このように、テレビ２、ＤＶＤ装置３、及びステレオ７ａがそれぞれ、通信可能な通信端末装置及び実施可能なサービスを認識しているとき、まず、通信可能な通信端末装置を設定記憶部２０８，３０８，７０８それぞれに格納し、更に、テレビ２及びステレオ７ａが実施可能なサービスに対するサービスリストを生成して、設定記憶部２０８，７０８それぞれに格納する。又、このサービスリストが、テレビ２及びステレオ７ａが操作されたときなどに、映像表示部２０５及び表示部７１６のそれぞれで表示されるものとしても構わない。
【００９９】
その後、図１６（ｂ）のように、携帯端末４を携帯したユーザがネットワーク１が構築されている自宅に帰宅すると（ＳＴＥＰ２０５）と、携帯端末４がネットワーク１に参加しようとするため、ＳＴＥＰ２０２ａ〜２０２ｄと同様、テレビ２、ＤＶＤ装置３、携帯端末４、及びステレオ７ａはそれぞれ通信相手となる通信端末装置及び通信端末装置の保持するサービスをサーチする（ＳＴＥＰ２０６ａ〜２０６ｄ）。このとき、携帯端末４がネットワーク１に参加するため、携帯端末４がテレビ２、ＤＶＤ装置３、及びステレオ７ａを通信相手として認識するとともに、テレビ２、ＤＶＤ装置３、及びステレオ７ａの所持するサービスを認識する（ＳＴＥＰ２０７ａ）。又、テレビ２、ＤＶＤ装置３、及びステレオ７ａが携帯端末４を通信相手として認識するとともに、テレビ２及びステレオ７ａが携帯端末４のサービスを認識する（ＳＴＥＰ２０７ｂ〜２０７ｄ）。
【０１００】
このとき、テレビ２、携帯端末４、及びステレオ７ａがそれぞれ実施可能なサービスを確認するため、携帯端末４は、テレビ２、ＤＶＤ装置３、及びステレオ７ａによるサービスにおいて実施可能なサービスを含むサービスリストを生成して設定記憶部４０８に格納する。又、テレビ２及びステレオ７ａは、携帯端末４によるサービスにおいて実施可能なサービスをサービスリストに追加して設定記憶部２０８，７０８に格納する。
【０１０１】
このようにして、テレビ２、携帯端末４、及びステレオ７ａそれぞれにおいて、実施可能なサービスがネットワーク１に新規に追加されたことが確認されるため、サービスの提供を受けてコンテンツを再生することができるテレビ２、携帯端末４、及びステレオ７ａそれぞれにおいて、図１６（ｂ）のように、報知部２１２，４１２，７１２がそれぞれ点滅する（ＳＴＥＰ２０８ａ〜２０８ｃ）。このとき、このサービスリストが、テレビ２、携帯端末４、及びステレオ７ａが操作されたときなどに、映像表示部２０５、映像表示部４０５、及び表示部７１６のそれぞれで表示されるものとしても構わない。
【０１０２】
そして、報知部２１２，４１２，７１２がそれぞれ点滅することで、新規追加サービスが存在することが報知されると、テレビ２、携帯端末４、及びステレオ７ａが操作待ちの状態となる（ＳＴＥＰ２０９ａ〜２０９ｃ）。尚、ＤＶＤ装置３は、ＳＴＥＰ２０７ｄで携帯端末４を通信相手として認識した後、操作待ちの状態となる（ＳＴＥＰ２０９ｄ）。このとき、ユーザがテレビ２の操作部２０９を操作すると（ＳＴＥＰ２１０）、操作待ちの状態であったテレビ２がサービスの実施を開始しようとする。よって、テレビ２から携帯端末４に提供を要求するサービスが伝えられると、携帯端末４からテレビ２に対して要求されるサービスが提供されるとともに（ＳＴＥＰ２１１ａ）、テレビ２によってサービスが実施される（ＳＴＥＰ２１１ｂ）。即ち、テレビ２において、携帯端末４から送信されるコンテンツデータによる映像及び音声が、映像表示部２０５及び音声出力部２０６それぞれで再生出力される。
【０１０３】
そして、ユーザが携帯端末４に格納されたコンテンツをテレビ２で視聴することが可能な状態となる（ＳＴＥＰ２１２）。このように、テレビ２においては、携帯端末４によって提供されるサービスの実施を行うため、図１６（ｃ）のように、報知部２１２の動作が点滅から点灯に切り換えられて、サービスの提供をうけていることが報知される（ＳＴＥＰ２１３ｂ）。このとき、図１６（ｃ）のように、携帯端末４及びステレオ７ａでは、新規追加サービスの存在を示すために報知部４１２，７１２が点滅動作を継続する（ＳＴＥＰ２１３ａ，２１３ｃ）。そして、携帯端末４及びステレオ７ａは、所定時間の間、ユーザによる操作がないことが確認されると、ネットワーク所属時間が所定時間に到達したことが確認されるため、図１６（ｄ）のように、報知部４１２，７１２の動作が点滅から消灯に切り換えられて、実施可能な新規追加サービスがネットワーク１に存在しないことが報知される（ＳＴＥＰ２１４ａ，２１４ｃ）。
【０１０４】
このようにして、ネットワーク１に新たに参加した携帯端末４が所持するコンテンツによるサービスが、テレビ２で実施される。尚、このネットワーク１に新たに参加した携帯端末４が所持するコンテンツによるサービスがステレオ７ａで実施される場合においても、同様の動作が行われることとなる。即ち、図１７に示すように、ＳＴＥＰ２０９ａ〜２０９ｃにおいて、テレビ２、携帯端末４、及びステレオ７ａそれぞれが操作待ちの状態となったときに、ユーザがステレオ７ａの操作部７０９を操作すると（ＳＴＥＰ２５０）、操作待ちの状態であったステレオ７ａがサービスの実施を開始しようとする。
【０１０５】
よって、携帯端末４からステレオ７ａに対して要求されるサービスが提供されるとともに（ＳＴＥＰ２５１ａ）、ステレオ７ａによってサービスが実施される（ＳＴＥＰ２５１ｃ）。そして、ステレオ７ａの報知部７１２の動作が点滅から点灯に切り換えられる（ＳＴＥＰ２５２ｃ）。このとき、テレビ２及び携帯端末４の報知部２１２，４１２は、点滅動作を継続して行った後（ＳＴＥＰ２５２ａ，２５２ｂ）、ネットワーク所属時間が所定時間を経過したことが確認されると、その動作が点滅から消灯に切り換えられる（ＳＴＥＰ２５３ａ，２５３ｂ）。
【０１０６】
尚、上述のように、本実施形態では、サービスの提供及び実施として、記録されたコンテンツがテレビ２や携帯端末４やステレオ７ａ，７ｂなどのコンテンツ記録再生端末装置によって再生するものを例に挙げて説明したが、テレビ２、ＰＣ５、及びステレオ７ａ，７ｂなどにおいて受信されたコンテンツを、ＤＶＤ装置３、携帯端末４、ＰＣ５、ＨＤＲ６ａ，６ｂ、ステレオ７ａ，７ｂ、及びＶＴＲ８などのコンテンツ記録再生端末装置によって記録媒体に記録されるものの場合も、同様に動作することで実現できる。更に、記録されたコンテンツをコンテンツ記録再生端末装置によって記録媒体に記録される場合も同様である。
【０１０７】
又、コンテンツをを提供する側の通信端末装置について、一度電源又は無線機能をＯＦＦさせた後に再度ＯＮとした（電源リセット又は無線機能リセット）場合に、コンテンツ記録再生端末装置が備える図１２のようなサービスリストにおいて、この電源リセット又は無線機能リセットが成された通信端末装置の備えるコンテンツによるサービスが優先されるように、サービスの優先度の順位が設定されるものとしても構わない。よって、最優先に提供されたいサービスを所持した通信端末装置の電源リセット又は無線機能リセットを行うことで、コンテンツ記録再生端末装置が備える図１２のようなサービスリストにおいて、所望するコンテンツのサービスを最優先のサービスと設定することができる。
【０１０８】
又、このサービスの優先順位について、各通信端末装置において指定するものとしても構わない。更に、所望のコンテンツのサービスにおける優先順位を最優先とすることを指定する場合、所望のコンテンツのサービスを図１２のサービスリストから消去した後に、このサービスリストに再登録することで、最優先となるように指定しても構わない。
【０１０９】
＜第２の実施形態＞
本発明の第２の実施形態について、図面を参照して説明する。尚、本実施形態においても、第１の実施形態と同様、図１のような構成の通信システムが利用される。又、図１の通信システムを構成する各通信端末装置の構成については、第１の実施形態と同様、図３〜図８のような構成となる。
【０１１０】
本実施形態の通信システムにおいて、各通信端末装置は、第１の実施形態と同様の動作を行うことで、ネットワーク１に存在するとともに自機器が実施可能なサービスによるサービスリストを生成して格納する。即ち、通信システムに備えられるコンテンツ記録再生端末装置が、サービスリストへのサービスの追加動作を図１０のフローチャートに従って行うとともに、サービスリストへのサービスの削除動作を図１１のフローチャートに従って行う。
【０１１１】
このように各コンテンツ記録再生端末装置がサービスリストを生成する通信システムにおいて、ネットワーク１に新たに追加されたサービスを自動的に実施開始するとともに、各コンテンツ記録再生端末装置において、その実施開始するまでの時間が設定される。即ち、第１の実施形態と異なり、新たにネットワーク１に追加されたサービスのネットワーク所属時間が、コンテンツ記録再生端末装置毎に設定された所定時間に到達したとき、このコンテンツ記録再生端末装置に対してサービスが提供される。
【０１１２】
よって、ネットワーク１におけるサービスを実施していないコンテンツ記録再生端末装置の内、自動で動作するために設定された所定時間が最も短いコンテンツ記録再生端末装置によって、ネットワーク１に新たに追加されたサービスが実施される。このネットワーク１に新たに追加されたサービスを設定された所定時間に基づいて実施するコンテンツ記録再生端末装置において、この新規追加サービスの状態が報知部によって示される。以下では、この報知部における報知動作を含めてコンテンツ記録再生端末装置におけるサービスの開始判定動作について、図１８のフローチャートを参照するとともに、テレビ２における動作を例にして説明する。尚、図１８のフローチャートにおいて、図１４と同一の動作ステップについては、同一の符号を付して、その詳細な説明は省略する。
【０１１３】
（サービスの開始判定）
コンテンツ記録再生端末装置は、第１の実施形態と同様、まず、設定記憶部２０８に記憶されているサービスリストへの追加が行われたか否かを確認する（ＳＴＥＰ１５１）。そして、サービスリストへの追加が確認されると（Ｙｅｓ）、報知部２１２によって、テレビ２が実施可能な新規追加サービスがネットワーク１に存在することを報知する（ＳＴＥＰ１５２）。尚、本実施形態では、第１の実施形態と同様、この報知部２１２が発光素子で構成され、「点滅」、「点灯」、「消灯」によって、「新規追加サービスが存在すること」と、「サービスの提供を受けていること」と、「新規追加サービスがネットワーク１に存在しないこと」とがそれぞれ、報知される。
【０１１４】
その後、サービスリストに追加された新規追加サービスのネットワーク所属時間を測定するためのタイマ（不図示）が初期化されて、ネットワーク所属時間の計測が開始されるとともに（ＳＴＥＰ１５３）、このネットワーク所属時間が所定時間になったか否かが確認される（ＳＴＥＰ１５４）。このとき、ネットワーク所属時間が所定時間に達していないとき（Ｎｏ）、まず、この新規追加サービスが既に別のコンテンツ記録再生端末装置に提供され、既にサービスの提供が制限されているか否かが、設定記憶部２０８内のサービスリストより確認される（ＳＴＥＰ１７０）。このとき、既に別のコンテンツ記録再生端末装置に提供されるとともに、サービスの提供が制限されることによって、設定記憶部２０８内のサービスリストにおいて、新規追加サービスの状態が「Ａｃｔｉｖｅ」とされたか否かが確認される。
【０１１５】
そして、サービスリストの新規追加サービスの状態が「Ｎｏｗ」のままで提供可能であることが確認されると（Ｎｏ）、操作部２０９による対応操作が可能な状態となった後（ＳＴＥＰ１５５）、第１の実施形態と同様、操作部２０９の操作に応じた動作がおこなわれる（ＳＴＥＰ１５６〜１５９）。又、ＳＴＥＰ１７０において、サービスリストの新規追加サービスの状態が「Ａｃｔｉｖｅ」とされ、その提供が制限されていることが確認されると（Ｎｏ）、他のサービスの実施を行っているか否かを確認した後（ＳＴＥＰ１６０）、第１の実施形態と同様、実施しているか否かに応じて、報知動作を切り換えるとともにサービスリスの更新を行う（ＳＴＥＰ１６１〜ＳＴＥＰ１６３）。
【０１１６】
又、ＳＴＥＰ１５４において、ネットワーク所属時間が所定時間に達したことが確認されると（Ｙｅｓ）、次に、自機器において既に別のサービスが提供されているか否かが確認される（ＳＴＥＰ１７１）。このとき、別のサービスの提供が成されていない場合（Ｎｏ）、ＳＴＥＰ１５７に移行して、報知部２１２による報知動作を切り換えた後、新規追加サービスの実施を行う。又、ＳＴＥＰ１７１において、別のサービスの提供が成されているとき（Ｙｅｓ）、ＳＴＥＰ１６２に移行して、報知部２１２による報知動作を切り換えた後、サービスリストの更新を行う。
【０１１７】
このように各動作を行う通信端末装置により構成される通信システムにおける動作例について、図１９及び図２０を参照して説明する。尚、本動作例を説明するに当たって、ネットワーク１には、テレビ２と、ＤＶＤ装置３と、ＨＤＲ６ａと、ＶＴＲ８とが既に参加しているものとする。又、ＤＶＤ装置３については、コンテンツデータの読み出しのみが可能な装置であり、コンテンツの記録動作ができないものとする。更に、図１９には、ユーザの動作に対する、テレビ２、ＤＶＤ装置３、ＨＤＲ６ａ、及びＶＴＲ８の状態遷移を示す図である。又、図２０は、図１９の状態遷移を模式的に説明するための図である。
【０１１８】
まず、テレビ２、ＤＶＤ装置３、ＨＤＲ６ａ、及びＶＴＲ８は、相互に通信相手となる通信端末装置及びこの通信端末装置の保持するサービスをサーチを行って、自機器で実施可能なサービスを確認してサービスリストを生成した後（ＳＴＥＰ２７１ａ〜２７１ｄ）、操作待ちの状態となる（ＳＴＥＰ２７２ａ〜２７２ｄ）。このような操作待ちの状態にあるとき、図２０（ａ）のように、ユーザによってＤＶＤがＤＶＤ装置３に設置されると（ＳＴＥＰ２７３）、ＤＶＤ装置３が設置されたＤＶＤ内のコンテンツを認識する（ＳＴＥＰ２７４ｄ）。
【０１１９】
そして、テレビ２、ＨＤＲ６ａ、及びＶＴＲ８がＤＶＤ装置３のサービスをサーチすることによって（ＳＴＥＰ２７５ａ〜２７５ｄ）、テレビ２、ＨＤＲ６ａ、及びＶＴＲ８がＤＶＤ装置３に設置されたＤＶＤに格納されたコンテンツによるサービスを認識する（ＳＴＥＰ２７６ａ〜２７６ｄ）。このとき、テレビ２、ＨＤＲ６ａ、及びＶＴＲ８はそれぞれ、このＤＶＤ装置３に設置されたＤＶＤに格納されたコンテンツによるサービスをサービスリストに追加して設定記憶部２０８，６０８，８０８に格納する。又、ＤＶＤ装置３は、サービスのサーチ動作が終了した後、操作待ち状態となる（ＳＴＥＰ２７８ｄ）。
【０１２０】
このようにして、テレビ２、ＨＤＲ６ａ、及びＶＴＲ８それぞれにおいて、ＤＶＤ装置３に設置されたＤＶＤによるサービスがネットワーク１に新規に追加されたことが確認されるため、この新規追加サービスを確認したテレビ２、ＨＤＲ６ａ、及びＶＴＲ８それぞれにおいて、図２０（ｂ）のように、報知部２１２，６１２，８１２が点滅する（ＳＴＥＰ２７７ａ〜２７７ｃ）。そして、テレビ２、ＨＤＲ６ａ、及びＶＴＲ８それぞれが操作待ちの状態となる（ＳＴＥＰ２７８ａ〜２７８ｃ）。
【０１２１】
このとき、テレビ２、ＨＤＲ６ａ、及びＶＴＲ８それぞれにおいてネットワーク所属時間と比較するための所属時間がＴ１，Ｔ２，Ｔ３（Ｔ１＜Ｔ２＜Ｔ３）のように設定されるものとする。その後、ＤＶＤ装置３にＤＶＤが設置されてから時間Ｔ１が経過すると、テレビ２において、このＤＶＤのコンテンツによるサービスのネットワーク所属時間が所定時間Ｔ１に到達したことが確認される。そのため、操作待ちの状態であったテレビ２がサービスの実施を開始しようとする。よって、テレビ２からＤＶＤ装置３に提供を要求するサービスが伝えられると、ＤＶＤ装置３からテレビ２に対して要求されるサービスが提供されるとともに（ＳＴＥＰ２７９ｄ）、テレビ２によってサービスが実施される（ＳＴＥＰ２７９ａ）。即ち、テレビ２において、ＤＶＤ装置から送信されるコンテンツデータによる映像及び音声が、映像表示部２０５及び音声出力部２０６それぞれで再生出力される。
【０１２２】
そして、ユーザがＤＶＤ装置３に格納されたコンテンツをテレビ２で視聴することが可能な状態となる（ＳＴＥＰ２８０）。このように、テレビ２においては、ＤＶＤ装置３によって提供されるサービスの実施を行うため、図２０（ｃ）のように、報知部２１２の動作が点滅から点灯に切り換えられて、サービスの提供をうけていることが報知される（ＳＴＥＰ２８１ａ）。又、このとき、テレビ２のサービスリストにおいて、ＤＶＤ装置３に設置されたＤＶＤに格納されるコンテンツの状態が「Ａｃｔｉｖｅ」に書き換えられる。
【０１２３】
このように、ＤＶＤ装置３に設置されたＤＶＤに格納されるコンテンツがテレビ２で実施されているので、テレビ２、ＤＶＤ装置３、ＨＤＲ６ａ、及びＶＴＲ８がサーチ動作を行っって（ＳＴＥＰ２８２ａ〜２８２ｄ）、それぞれのサービスの状態を認識する（ＳＴＥＰ２８３ａ〜２８３ｄ）。よって、ＨＤＲ６ａ及びＶＴＲ８は、そのサービスリストにおいて、ＤＶＤ装置３に設置されたＤＶＤに格納されるコンテンツの状態を、「Ａｃｔｉｖｅ」に書き換える。
【０１２４】
そのため、ＨＤＲ６ａ及びＶＴＲ８においては、図２０（ｃ）のように、報知部６１２，８１２の動作が点滅から消灯に切り換えられて、実施可能な新規追加サービスがネットワーク１に存在しないことが報知される（ＳＴＥＰ２８４ｂ，２８４ｃ）。その後、ＨＤＲ６ａ及びＶＴＲ８が操作待ちの状態となる（ＳＴＥＰ２８５ｂ，２８５ｃ）。又、テレビ２が再生動作とともに操作待ちの状態となるとともに（ＳＴＥＰ２８５ａ）、ＤＶＤ装置３が送信動作とともに操作待ちの状態となる（ＳＴＥＰ２８５ｄ）。
【０１２５】
尚、上述の動作例において、既にサービスの実施を行っているコンテンツ記録再生端末装置がある場合、新規追加サービスのネットワーク所属時間が、そのコンテンツ記録再生端末装置に設定される所属時間に到達すると、報知部による報知動作を切り換えるのみで、既に実施しているサービスをそのまま実施する。
【０１２６】
即ち、上述の動作例において、例えば、テレビ２で地上波テレビ放送の再生が行われるているとき、ＤＶＤ装置３のＤＶＤによるサービスのネットワーク所属時間が所定時間Ｔ１に到達したとき、テレビ２の報知部２１２の報知動作が点滅から点灯に切り替わるのみで、そのまま、地上波テレビ放送の再生が行われる。その後、ＤＶＤ装置３のＤＶＤによるサービスのネットワーク所属時間が所定時間Ｔ２に到達したとき、ＨＤＲ６ａによってＤＶＤ装置３のＤＶＤによるサービスの実施（記録動作）が行われる。そして、ＨＤＲ６ａの報知部６１２の報知動作が点滅から点灯に切り替わるとともに、ＨＤＲ６ａで実施されることがＶＴＲ８によって確認されるため、ＶＴＲ８の報知部８１２の報知動作が点滅から消灯に切り替わる。
【０１２７】
＜第３の実施形態＞
本発明の第３の実施形態について、図面を参照して説明する。尚、本実施形態においても、第１の実施形態と同様、図１のような構成の通信システムが利用される。又、図１の通信システムを構成する各通信端末装置の構成については、第１の実施形態と同様、図３〜図８のような構成となる。
【０１２８】
本実施形態の通信システムにおいて、各通信端末装置は、第１の実施形態と同様の動作を行うことで、ネットワーク１に存在するとともに自機器が実施可能なサービスによるサービスリストを生成して格納する。即ち、通信システムに備えられるコンテンツ記録再生端末装置が、サービスリストへのサービスの追加動作を図１０のフローチャートに従って行うとともに、サービスリストへのサービスの削除動作を図１１のフローチャートに従って行う。
【０１２９】
このように、コンテンツ記録再生端末装置は、第１の実施形態と同様、参加しているネットワーク１に存在するサービスによるサービスリストを生成するとき、自機器の参加しているネットワーク１に新しいサービスが追加されると、この新規に追加されたサービス（新規追加サービス）の状態が報知部によって示される。又、この報知部は、コンテンツ記録再生端末装置においてネットワーク１におけるサービスが選択されてサービスが提供されていることについても、外部に報知することができる。以下では、まず、この報知部による報知動作について、図２１のフローチャートを参照するとともに、テレビ２における動作を例にして説明する。
【０１３０】
（新規追加サービスの状態報知）
このような報知動作が行われるとき、制御部２１３において、まず、新規追加サービスの状態を外部に報知する報知部２１２の動作状態が確認される（ＳＴＥＰ３０１）。そして、この報知部２１２の動作状態によって、テレビ２が実施可能な新規追加サービスがネットワーク１に存在することが報知されているか否かが確認される（ＳＴＥＰ３０２）。尚、本実施形態においても、第１及び第２の実施形態と同様、この報知部２１２が発光素子で構成され、「点滅」、「点灯」、「消灯」によって、「新規追加サービスが存在すること」と、「サービスの提供を受けていること」と、「新規追加サービスがネットワーク１に存在しないこと」とがそれぞれ、報知される。
【０１３１】
このとき、報知部２１２による新規追加サービスが存在することを示す報知動作（点滅動作）が行われていることが確認されると（Ｙｅｓ）、設定記憶部２０８に記憶されているサービスリストが読み出されて、現在報知動作によって状態が報知されている対象となるサービスの状態を確認する（ＳＴＥＰ３０３）。そして、まず、報知部２１２で新規追加が報知される対象となる新規追加サービスがサービスリストに存在するか否かを確認することで、この報知対象となる新規追加サービスがネットワーク１に存在しているか否かが確認される（ＳＴＥＰ３０４）。このとき、報知対象となる新規追加サービスがサービスリストに存在することが確認されると（Ｙｅｓ）、次に、この新規追加サービスが実施可能な状態であるか否かが確認される（ＳＴＥＰ３０５）。即ち、サービスリストにおいて、報知対象の新規追加サービスの状態が「Ｎｏｗ」であるか否かが確認される。
【０１３２】
そして、新規追加サービスが実施可能な状態であることが確認されると（Ｙｅｓ）、更に、この新規追加サービスのネットワーク所属時間が確認された後（ＳＴＥＰ３０６）、このネットワーク所属時間が所定時間以上となったか否かが確認される（ＳＴＥＰ３０７）。このとき、新規追加サービスがネットワーク１に追加されて所定時間が未だ経過していない状態であり、新規追加サービスのネットワーク所属時間が所定時間未満である場合（Ｎｏ）、更に、この新規追加サービスを含む実施可能ないずれかのサービスの提供を求めるように指示されたか否かが確認される（ＳＴＥＰ３０８）。即ち、その状態が「Ａｃｔｉｖｅ」以外となる提供可能とされるサービスの提供を求めて、サービスの提供が開始されるか否かが確認される。
【０１３３】
そして、実施可能ないずれかのサービスの提供が開始されなかったとき（Ｎｏ）、設定記憶部２０８に記憶されているサービスリストにおいて最優先とされるサービスを確認することで、ネットワーク１に新規に追加されたサービスの検出が成される（ＳＴＥＰ３０９）。この新規追加サービスの検出動作が行われると、サービスリストにおいて最優先とされるサービスが同一のサービスのままであるか否かを確認することで、ネットワーク１に新たにサービスの追加が成されたか否かが確認される（ＳＴＥＰ３１０）。
【０１３４】
このとき、上述のサービスリストへのサービスの追加動作が行われて、サービスリストにおいて最優先とされるサービスが変更したことが確認されることで、ネットワーク１に別のサービスが新規に追加されたことが認識されると（Ｙｅｓ）、ネットワーク１に新規追加サービスが変更されたことを示す報知動作（点滅動作）が報知部２１２によって行われる（ＳＴＥＰ３１１）。このとき、報知部２１２による点滅が開始されるが、ＳＴＥＰ３１０で新規追加サービスが確認された直後の所定期間における点滅間隔と、所定期間経過後の点滅間隔とを異なるものとすることで、新たに追加サービスがあったことを確認することが容易になる。そして、新規追加サービスのネットワーク所属時間を計測するタイマが初期化されて、このネットワーク所属時間の計測が開始される（ＳＴＥＰ３１２）。
【０１３５】
又、ＳＴＥＰ３０２において、報知部２１２による新規追加サービスが存在することを示す報知動作が行われていない場合（Ｎｏ）、テレビ２がサービスの提供をうけていることを示す報知動作が報知部２１２によって行われているか否かが確認される（ＳＴＥＰ３１３）。そして、報知部２１２によるサービスの提供をうけていることを示す報知動作（点灯動作）が行われていることが確認されると（Ｙｅｓ）、サービスの提供を停止するように指示されたか否かが確認される（ＳＴＥＰ３１４）。
【０１３６】
又、ＳＴＥＰ３０７において、新規追加サービスのネットワーク所属時間が所定時間以上になったことを確認すると（Ｙｅｓ）、現在のテレビ２の状態がサービスの提供を受けている状態であるか否かが確認される（ＳＴＥＰ３１５）。このとき、テレビ２がサービスの提供を受けている状態である場合（Ｙｅｓ）、報知部２１２によるサービスの提供を受けていることを示す報知動作（点灯動作）を開始する（ＳＴＥＰ３１６）。即ち、報知部２１２による報知動作を、新規追加サービスが存在することを示す報知動作（点滅動作）から、サービスの提供をうけていることを示す報知動作（点灯動作）に切り換える。
【０１３７】
又、ＳＴＥＰ３０８において、サービスが提供されてサービスの実施が確認されると（Ｙｅｓ）、設定記憶部２０８におけるサービスリストの更新を行う（ＳＴＥＰ３１７）。即ち、例えば、サービスリストにおいて、実施されるサービスの状態を提供されていることを示す「Ａｃｔｉｖｅ」と変換する。その後、ＳＴＥＰ３１６に移行して、報知部２１２によるサービスの提供を受けていることを示す報知動作（点灯動作）を開始する。更に、ＳＴＥＰ３１４において、サービスの提供を停止するように指示されたとき（Ｙｅｓ）、設定記憶部２０８におけるサービスリストの更新を行う（ＳＴＥＰ３１８）。即ち、例えば、実施が停止されるサービスの状態を提供可能であることを示す「Ｒｅａｄｙ」や、停止状態や待機状態を示す「Ｓｔｏｐ」又は「Ｓｌｅｅｐ」などに変換される。
【０１３８】
又、ＳＴＥＰ３０４において、報知対象となる新規追加サービスがサービスリストから削除されてサービスリストに存在しなくなったとき（Ｎｏ）、又は、ＳＴＥＰ３０５において、新規追加サービスが既に他のコンテンツ記録再生端末装置に提供されるなどして提供不可能な状態となったとき（Ｎｏ）、又は、ＳＴＥＰ３１５において、サービスの提供を受けていないとき（Ｎｏ）、又は、ＳＴＥＰ３１８において、サービスリストの更新が行われたとき、報知部２１２による実施可能な新規追加サービスがネットワーク１に存在しない報知動作（消灯動作）が成される（ＳＴＥＰ３１９）。即ち、ＳＴＥＰ３０４、ＳＴＥＰ３０５、及びＳＴＥＰ３１５よりＳＴＥＰ３１９に移行するときは、報知部２１２による新規追加サービスが存在することを示す報知動作（点滅動作）を停止し、又、ＳＴＥＰ３１８よりＳＴＥＰ３１９に移行するときは、報知部２１２によるサービスの提供をうけていることを示す報知動作（点灯動作）を停止する。
【０１３９】
更に、ＳＴＥＰ３１３において、報知部２１２による実施可能な新規追加サービスがネットワーク１に存在しない報知動作（消灯動作）が確認されたとき（Ｎｏ）、又は、ＳＴＥＰ３１４において、サービス提供の停止が指示されなかったとき（Ｎｏ）、又は、ＳＴＥＰ３１６において、サービスの提供をうけていることを示す報知動作（点灯動作）が開始されたとき、又は、ＳＴＥＰ３１９において、実施可能な新規追加サービスがネットワーク１に存在しない報知動作（消灯動作）に変更されたとき、ネットワーク１に新規に追加されたサービスの検出が成される（ＳＴＥＰ３０９）。又、ＳＴＥＰ３１０において、ネットワーク１に別のサービスが新規に追加されていない場合（Ｎｏ）、又は、ＳＴＥＰ３１２において、ネットワーク所属時間を計測するためにタイマの初期化が行われたとき、ＳＴＥＰ３０１に移行して、同一の動作を繰り返す。
【０１４０】
（サービスの開始判定）
又、コンテンツ記録再生端末装置は、上述のようにして報知部によって報知動作を行うとともに、ネットワーク１に存在するとともに実施可能なサービスを実施するとき、第１の実施形態と同様、サービスの実施開始の判定が行われる。このサービスの実施開始を判定するための動作について、図２２のフローチャートを参照するとともに、テレビ２における動作を例にして説明する。
【０１４１】
まず、テレビ２が、サービスの提供を求めるための対応操作が操作部２０９において可能な状態で待機している（ＳＴＥＰ３５１）。そして、サービスの提供を求めるための操作が操作部２０９において成されたか否かが確認される（ＳＴＥＰ３５２）。このとき、サービスの提供を求めるための操作が成されると（Ｙｅｓ）、設定記憶部２０８におけるサービスリストで最優先とされているサービスが確認される（ＳＴＥＰ３５３）。その後、最優先のサービスを実施するか否かをユーザに確認するための表示が映像表示部２０５に表示されるとともに（ＳＴＥＰ３５４）、操作部２０９による最優先のサービス以外のサービス実施の要求を行う操作が可能な状態となる（ＳＴＥＰ３５５）。
【０１４２】
そして、操作部２０９が操作されて、最優先のサービス以外のサービスの実施が要求されたか否かが確認される（ＳＴＥＰ３５６）。このとき、最優先のサービス以外のサービスの実施が要求されると（Ｙｅｓ）、設定記憶部２０８におけるサービスリストが確認されて、最優先以外のテレビ２で実施可能なサービスが確認される（ＳＴＥＰ３５７）。そして、確認された実施可能なサービスによってリストが構成されて、映像表示部２０５に表示される（ＳＴＥＰ３５８）。このとき、映像表示部２０５において、例えば、図２３のように、実施可能なサービスにおけるサービスの種類と、コンテンツ名と、実施を指示するためのキーと、が表示される。このように、実施可能なサービスのリストが表示されているときに、操作部２０９が操作されて、リストを構成するサービスの内の１つが選択される（ＳＴＥＰ３５９）。
【０１４３】
このようにＳＴＥＰ３５１〜ＳＴＥＰ３５９の動作が行われるとき、ＳＴＥＰ３５６において、最優先のサービスの実施が要求されると（Ｙｅｓ）、又は、ＳＴＥＰ３５９においてサービスが選択されると、選択されたサービスを保持する通信端末装置に対して、サービスの提供を要求し、選択されたサービスが提供されると、そのサービスを実施し（ＳＴＥＰ３６０）、サービス開始判定動作を終了する。又、ＳＴＥＰ３５２において、サービスの提供を求めるための操作が成されていないとき（Ｎｏ）、再び、ＳＴＥＰ３５１に移行して、操作部２０９による操作が可能な状態とする。
【０１４４】
このように動作するとき、ＳＴＥＰ３５６において、最優先のサービス以外のサービスの実施が指示されたか否かの判定を所定期間の間だけ行うものとし、所定期間が経過したことが確認されると、最優先のサービスの実施が要求されたものとして、ＳＴＥＰ３６０に移行して、最優先のサービスの実施を行うものとしても構わない。
【０１４５】
このように各動作を行う通信端末装置により構成される通信システムにおける動作例について、図２４及び図２５を参照して説明する。尚、本動作例を説明するに当たって、ネットワーク１には、テレビ２ａ〜２ｃ（テレビ２に相当する）とＤＶＤ装置３とＶＴＲ８とが既に参加しているものとする。又、ＤＶＤ装置３及びＶＴＲ８については、コンテンツデータの読み出しのみが可能な装置であり、コンテンツの記録動作ができないものとする。更に、図２４には、ユーザの動作に対する、テレビ２ａ〜２ｃ及びＤＶＤ装置３の状態遷移を示す図である。又、図２５は、図２４の状態遷移を模式的に説明するための図である。
【０１４６】
まず、図２５（ａ）のように、部屋Ｘに設置されているテレビ２ａがユーザＵ１によって既に別のコンテンツの視聴が行われて、報知部２１２が点灯しているものとし（ＳＴＥＰ４００ａ）、部屋Ｙ，Ｚに設置されているテレビ２ｂ，２ｃが視聴が行われていない操作待ちの状態であり、報知部２１２が消灯しているものとする（ＳＴＥＰ４００ｂ，４００ｃ）。又、このとき、テレビ２ａ〜２ｃ及びＤＶＤ装置３及びＶＴＲ８は既に相互に通信を行って（ＳＴＥＰ４０１ａ〜４０１ｄ）、接続されている通信相手が確認されているとともに、自機器で実施可能なサービスが確認されてサービスリストが生成される（ＳＴＥＰ４０２ａ〜４０２ｄ）。そして、テレビ２ａが再生動作とともに操作待ちの状態となるとともに（ＳＴＥＰ４０３ａ）、テレビ２ｂ，２ｃ及びＤＶＤ装置３が操作待ちの状態となる（ＳＴＥＰ４０３ｂ〜４０３ｄ）。尚、ＤＶＤ装置３とともに部屋Ｘに設置されているＶＴＲ８についても、図２４において状態が不図示であるが、操作待ちの状態となっている。
【０１４７】
そして、図２５（ｂ）のように、部屋Ｘにおいて、ユーザＵ１とは別のユーザＵ２によってＤＶＤがＤＶＤ装置３に設置されると（ＳＴＥＰ４０４）、ＤＶＤ装置３が設置されたＤＶＤ内のコンテンツを認識する（ＳＴＥＰ４０５ｄ）。そして、テレビ２ａ〜２ｃがＤＶＤ装置３のサービスをサーチすることによって（ＳＴＥＰ４０６ａ〜４０６ｄ）、テレビ２ａ〜２ｃがＤＶＤ装置３に設置されたＤＶＤに格納されたコンテンツによるサービスを認識する（ＳＴＥＰ４０７ａ〜４０７ｃ）。このとき、テレビ２ａ〜２ｃがそれぞれＤＶＤ装置３に設置されたＤＶＤに格納されたコンテンツによるサービスが実施可能なサービスであるものと確認するため、テレビ２ａ〜２ｃは、このＤＶＤ装置３に設置されたＤＶＤに格納されたコンテンツによるサービスをサービスリストに追加して設定記憶部２０８に格納する。又、ＤＶＤ装置３は、サービスのサーチ動作が終了した後、操作待ち状態となる（ＳＴＥＰ４０９ｄ）。
【０１４８】
このようにして、テレビ２ａ〜２ｃそれぞれにおいて、ＤＶＤ装置３に設置されたＤＶＤによるサービスがネットワーク１に新規に追加されたことが確認されるため、この新規追加サービスを確認したテレビ２ａ〜２ｃそれぞれにおいて、図２５（ｃ）のように、報知部２１２が点滅する（ＳＴＥＰ４０８ａ〜４０８ｃ）。このとき、テレビ２ａにおいては、報知部２１２が点灯動作から点滅動作に切りかわり、又、テレビ２ｂ，２ｃにおいては、消灯動作から点滅動作に切りかわる。その後、テレビ２ａ〜２ｃの報知部２１２がそれぞれ点滅することで、新規追加サービスが存在することが報知されると、テレビ２ａが再生動作とともに操作待ちの状態となるとともに（ＳＴＥＰ４０９ａ）、テレビ２ｂ，２ｃが操作待ちの状態となる（ＳＴＥＰ４０９ｂ，４０９ｃ）。
【０１４９】
その後、図２５（ｄ）のように、ユーザＵ２が部屋Ｙに移動してテレビ２ｂを操作すると（ＳＴＥＰ４１０）、操作待ちの状態であったテレビ２ｂがサービスの実施の準備を行う（ＳＴＥＰ４１１ｂ）。その後、新規に追加されたＤＶＤ装置３におけるコンテンツのサービスを実施することが確定されると（ＳＴＥＰ４１２）、テレビ２ｂからＤＶＤ装置３に提供を要求するサービスが伝えられてＤＶＤ装置３からテレビ２ｂに対して要求されるサービスが提供されるとともに（ＳＴＥＰ４１３ｄ）、テレビ２ｂによってサービスが実施される（ＳＴＥＰ４１３ｂ）。即ち、テレビ２ｂにおいて、ＤＶＤ装置３から送信されるコンテンツデータによる映像及び音声が、映像表示部２０５及び音声出力部２０６それぞれで再生出力される。
【０１５０】
そして、ユーザＵ２がＤＶＤ装置３に設置されたＤＶＤに格納されたコンテンツをテレビ２ｂで視聴することが可能な状態となる（ＳＴＥＰ４１４）。このように、テレビ２ｂにおいては、ＤＶＤ装置３によって提供されるサービスの実施を行うため、図２５（ｅ）のように、報知部２１２の動作が点滅から点灯に切り換えられて、サービスの提供をうけていることが報知される（ＳＴＥＰ４１５ｂ）。又、このとき、テレビ２ｂのサービスリストにおいて、ＤＶＤ装置３に設置されたＤＶＤに格納されるコンテンツの状態が「Ａｃｔｉｖｅ」に書き換えられる。
【０１５１】
又、テレビ２ａ〜２ｃ及びＤＶＤ３がサーチ動作を行うことによって（ＳＴＥＰ４１６ａ〜４１６ｄ）、新規に追加されたＤＶＤ装置３によるサービスがテレビ２ｂで実施されて、実施不可能となったことを確認する（ＳＴＥＰ４１７ａ〜４１７ｄ）。そして、テレビ２ａ，２ｃのサービスリストにおいて、ＤＶＤ装置３に設置されたＤＶＤに格納されるコンテンツの状態が「Ａｃｔｉｖｅ」に書き換えられる。
【０１５２】
よって、テレビ２ａにおいては、図２５（ｅ）のように、報知部２１２の動作が点滅から点灯に切り換えられて、サービスの提供をうけていることが報知される（ＳＴＥＰ４１８ａ）。又、テレビ２ｂにおいては、図２５（ｅ）のように、報知部２１２の動作が点滅から消灯に切り換えられて、実施可能な新規追加サービスがネットワーク１に存在しないことが報知される（ＳＴＥＰ４１８ｃ）。テレビ２ａ，２ｂが再生動作とともに操作待ちの状態となり（ＳＴＥＰ４１９ａ，４１９ｂ）、ＤＶＤ装置３が送信動作とともに操作待ちの状態となり（ＳＴＥＰ４１９ｄ）、テレビ２ｃが操作待ちの状態となる（ＳＴＥＰ４１９ｃ）。
【０１５３】
尚、ＳＴＥＰ４１２において、ＶＴＲ８に設置されたテープに格納されたコンテンツなど、新規に追加されたＤＶＤ装置３におけるコンテンツ以外のコンテンツのサービスが求められたとき、テレビ２ｂの映像表示部２０５に、テレビ２ｂが実施可能なサービスのリストが表示される。そして、このリストから実施するサービスとして、例えば、ＶＴＲ８に設置されたテープに格納されているコンテンツによるサービスが選択されたとき、テレビ２ｂからＶＴＲ８に提供を要求するサービスが伝えられてＶＴＲ８からテレビ２ｂに対して要求されるサービスが提供されるとともに、テレビ２ｂによってサービスが実施される。
【０１５４】
そして、テレビ２ｂにおいて、報知部２１２における動作が、点滅動作から点灯動作に切り換えられる。このとき、テレビ２ａ，２ｃにおいて、報知部２１２は点滅動作を続けるとともに、その後、テレビ２ａ，２ｃのいずれにおいても、新規に追加されたＤＶＤ装置３におけるコンテンツによるサービスの実施が求められなかった場合、ＤＶＤが設置されてから所定時間が経過したことを確認すると、ネットワーク所属時間が所定時間に到達したことが確認される。そのため、テレビ２ａの報知部２１２の動作が点滅から点灯に切り換えられるとともに、テレビ２ｂの報知部２１２の動作が点滅から消灯に切り換えられる。
【０１５５】
尚、上述のように、本実施形態では、サービスの提供及び実施として、記録されたコンテンツがテレビ２や携帯端末４やステレオ７ａ，７ｂなどのコンテンツ記録再生端末装置によって再生するものを例に挙げて説明したが、テレビ２、ＰＣ５、及びステレオ７ａ，７ｂなどにおいて受信されたコンテンツを、ＤＶＤ装置３、携帯端末４、ＰＣ５、ＨＤＲ６ａ，６ｂ、ステレオ７ａ，７ｂ、及びＶＴＲ８などのコンテンツ記録再生端末装置によって記録媒体に記録されるものの場合も、同様に動作することで実現できる。更に、記録されたコンテンツをコンテンツ記録再生端末装置によって記録媒体に記録される場合も同様である。
【０１５６】
又、第１の及び第３の実施形態において、サービスリストの生成を行った各コンテンツ記録再生端末装置は、その表示部又は映像表示部において、設定記憶部に格納したサービスリストに基づいて、図２６のようなリスト表示が成されるものとしても構わない。この図２６のリスト表示によると、実施可能なサービスにおけるサービスの種類と、コンテンツ名と、サービス実施を開始するためのキーＸと、サービス実施をキャンセルするためのキーＹと、が表示される。尚、この図２６のように表示されるとき、生成されて設定記憶部に格納されたサービスリストは、図２７のように、図１６又は図１７のサービスリストにおける構成に、サービス実施をキャンセルするためのキーが追加された構成とされている。又、サービスの実施のキャンセルとは、現在実施されているサービスの停止を意味する。
【０１５７】
そして、サービスリストが表示部又は映像表示部に表示されたコンテンツ記録再生端末装置は、ネットワーク１に新規にサービスが追加されていない状態においても、操作部による操作に従って、ネットワーク１上の実施可能なサービスが選択できる。このように操作部で選択することで、コンテンツ記録再生端末装置が、サービスの開始判定を行う。このときの動作について、図２８のフローチャートを参照するとともに、ＨＤＲ６ａにおける動作を例にして説明する。
【０１５８】
上述のように、ＨＤＲ６ａにおいて、設定記憶部６０８のサービスリストより読み出されたサービスリストに基づいて、表示部６１６に実施可能なサービスのリスト表示が成されているとき、まず、サービスの提供又は停止を求めるための対応操作が操作部６０９において可能な状態で待機している（ＳＴＥＰ４５１）。そして、操作部６０９が操作されたか否かが確認される（ＳＴＥＰ４５２）。このとき、操作部６０９が操作されたことが確認されると（Ｙｅｓ）、操作部６０９において操作されたキーと一致するキーが、サービスリストにおけるサービスの開始を示すキーＸの中から検索される（ＳＴＥＰ４５３）。そして、サービスの開始を示すキーＸにおいて、操作部６０９において操作されたキーと一致するキーがあるか否かが確認されることで、サービスリストにおける実施可能なサービスの開始が指定されたか否かが確認される（ＳＴＥＰ４５４）。
【０１５９】
このとき、実施可能なサービスの開始が指定されたことが確認されると（Ｙｅｓ）、実施が開始されるように選択されたサービスを保持する通信端末装置に対して、サービスの提供を要求し、選択されたサービスが提供されると、そのサービスの実施を開始する（ＳＴＥＰ４５５）。そして、選択されたサービスが実施されるので、選択されたサービスのサービスリストの状態を変更するように、設定記憶部６０８におけるサービスリストの更新を行う（ＳＴＥＰ４５６）。即ち、例えば、サービスリストにおいて、実施されるサービスの状態を提供されていることを示す「Ａｃｔｉｖｅ」と変換する。更に、報知部６１２によるサービスの提供を受けていることを示す報知動作（点灯動作）を開始して（ＳＴＥＰ４５７）、動作を終了する。
【０１６０】
又、ＳＴＥＰ４５４において、実施可能なサービスの開始が指定されたことが確認されなかった場合（Ｎｏ）、操作部６０９において操作されたキーと一致するキーが、サービスリストにおけるサービスの停止を示すキーＹの中から検索される（ＳＴＥＰ４５８）。そして、サービスの停止を示すキーＹにおいて、操作部６０９において操作されたキーと一致するキーがあるか否かが確認されることで、実施されているサービスの停止が指定されたか否かが確認される（ＳＴＥＰ４５９）。このとき、実施されているサービスの停止が指定されたことが確認されると（Ｙｅｓ）、実施が停止されるように選択されたサービスを保持する通信端末装置に対して、サービスの停止を要求し、選択されたサービスの提供が停止されると、そのサービスの実施を停止する（ＳＴＥＰ４６０）。
【０１６１】
そして、選択されたサービスが停止されるので、選択されたサービスのサービスリストの状態を変更するように、設定記憶部６０８におけるサービスリストの更新を行う（ＳＴＥＰ４６１）。即ち、例えば、実施が停止されるサービスの状態を提供可能であることを示す「Ｒｅａｄｙ」や、停止状態や待機状態を示す「Ｓｔｏｐ」又は「Ｓｌｅｅｐ」などに変換される。更に、報知部６１２による実施可能な新規追加サービスがネットワーク１に存在しない報知動作（消灯動作）が成された後（ＳＴＥＰ４６２）、動作を終了する。又、ＳＴＥＰ４５９において、実施されているサービスの停止が指定されたことが確認されなかった場合（Ｎｏ）、動作を終了する。
【０１６２】
尚、図２８のフローチャートによる動作について、ＨＤＲ６ａのようなコンテンツの記録動作を行うコンテンツ記録再生端末装置を例に挙げて説明したが、テレビ２、ＰＣ５、及びステレオ７ａ，７ｂなどのように、コンテンツを再生出力するコンテンツ記録再生端末装置においても同様に動作する。
【０１６３】
＜第４の実施形態＞
本発明の第４の実施形態について、図面を参照して説明する。尚、本実施形態においても、第１の実施形態と同様、図１のような構成の通信システムが利用される。又、図１の通信システムを構成する各通信端末装置の構成については、第１の実施形態と同様、図３〜図８のような構成となる。
【０１６４】
本実施形態においては、第１及び第３の実施形態と異なり、複数のコンテンツ記録再生端末装置において同一のサービスを実施することが可能とされる。このとき、サービスを提供する通信端末装置において、各サービス毎にそのサービスが同時に提供可能な台数が設定される。そして、コンテンツ記録再生端末装置が、上述の第１又は第３の実施形態と同様の報知動作及びサービスの開始判定動作が行う。
【０１６５】
即ち、このコンテンツ記録再生端末装置が報知動作及びサービスの開始判定動作を行う際、サービスの提供が行われているコンテンツ記録再生端末装置の台数が許可する台数よりも少なければ、そのサービスを提供する通信端末装置において、サービスの提供が許可の状態とされる。よって、サービスの提供を受けていないコンテンツ記録再生端末装置において、その設定記憶部に格納するサービスリストでは、提供が行われているコンテンツ記録再生端末装置の台数が許可する台数よりも少ないサービスの状態を、実施可能な「Ｎｏｗ」又は「Ｒｅａｄｙ」とする。
【０１６６】
又、サービスの提供が行われているコンテンツ記録再生端末装置の台数が許可する台数以上となると、そのサービスを提供する通信端末装置において、サービスの提供が禁止の状態とされる。よって、サービスの提供を受けていないコンテンツ記録再生端末装置において、その設定記憶部に格納するサービスリストでは、提供が行われているコンテンツ記録再生端末装置の台数が許可する台数以上となったサービスの状態を、実施中であることを示す「Ａｃｔｉｖｅ」とし、実施不可能とする。
【０１６７】
このように各動作を行う通信端末装置により構成される通信システムにおける動作例について、図２９〜図３１を参照して説明する。尚、本動作例を説明するに当たって、ネットワーク１には、テレビ２とＤＶＤ装置３とＨＤＲ６ａとＶＴＲ８とが既に参加しているものとする。又、ＤＶＤ装置３については、コンテンツデータの読み出しのみが可能な装置であり、コンテンツの記録動作ができないものとする。又、ＨＤＲ６ａ及びＶＴＲ８は、コンテンツデータの書き込みも可能な装置であり、コンテンツの記録動作及び再生動作が可能であるものとする。更に、図２９及び図３０には、ユーザの動作に対する、テレビ２、ＤＶＤ装置３、ＨＤＲ６ａ、及びＶＴＲ８の状態遷移を示す図である。又、図３１は、図２９及び図３０の状態遷移を模式的に説明するための図である。
【０１６８】
まず、第２の実施形態と同様、テレビ２、ＤＶＤ装置３、ＨＤＲ６ａ、及びＶＴＲ８が相互に通信して、自機器で実施可能なサービスを確認してサービスリストを生成した後（ＳＴＥＰ２７１ａ〜２７１ｄ）、操作待ちの状態となる（ＳＴＥＰ２７２ａ〜２７２ｄ）。その後、図３１（ａ）のように、ユーザによってＤＶＤがＤＶＤ装置３に設置されると（ＳＴＥＰ２７３）、ＤＶＤ装置３がＤＶＤ内のコンテンツを認識するとともに（ＳＴＥＰ２７４ｄ）、テレビ２、ＨＤＲ６ａ、及びＶＴＲ８がＤＶＤ装置３のサービスをサーチする（ＳＴＥＰ２７５ａ〜２７５ｄ）。そして、テレビ２、ＨＤＲ６ａ、及びＶＴＲ８がＤＶＤ装置３により追加されたサービスをサービスリストに追加して格納するとともに（ＳＴＥＰ２７６ａ〜２７６ｄ）、図３１（ｂ）のように、報知部２１２，６１２，８１２が点滅する（ＳＴＥＰ２７７ａ〜２７７ｃ）。その後、テレビ２、ＤＶＤ装置３、ＨＤＲ６ａ、及びＶＴＲ８それぞれが操作待ちの状態となる（ＳＴＥＰ２７８ａ〜２７８ｄ）。
【０１６９】
その後、ユーザがＨＤＲ６ａを操作すると（ＳＴＥＰ５０９）、操作待ちの状態であったＨＤＲ６ａがサービスの実施の準備を行う（ＳＴＥＰ５１０ｂ）。その後、新規に追加されたＤＶＤ装置３におけるコンテンツのサービスを実施することが確定されると（ＳＴＥＰ５１１）、ＨＤＲ６ａからＤＶＤ装置３に提供を要求するサービスが伝えられてＤＶＤ装置３からＨＤＲ６ａに対して要求されるサービスが提供されるとともに（ＳＴＥＰ５１２ｄ）、ＨＤＲ６ａによってサービスが実施される（ＳＴＥＰ５１２ｂ）。よって、ユーザがＤＶＤ装置３に設置されたＤＶＤに格納されたコンテンツをＨＤＲ６ａで録画する（ＳＴＥＰ５１３）。このとき、ＨＤＲ６ａにおいて、ＤＶＤ装置３から送信されるコンテンツデータが、データ記憶部６０７に格納される。
【０１７０】
このように、ＨＤＲ６ａにおいては、ＤＶＤ装置３によって提供されるサービスの実施を行うため、図３１（ｃ）のように、報知部２１２の動作が点滅から点灯に切り換えられて、サービスの提供をうけていることが報知される（ＳＴＥＰ５１４ｂ）。そして、ＨＤＲ６ａのサービスリストにおいて、ＤＶＤ装置３に設置されたＤＶＤに格納されるコンテンツの状態が「Ａｃｔｉｖｅ」に書き換えられる。
【０１７１】
又、このとき、ＤＶＤ装置３では、設置されたＤＶＤのコンテンツによるサービスが２台のコンテンツ記録再生端末装置まで実施可能とされているとする。よって、ＤＶＤ装置３において、設置されたＤＶＤのコンテンツによるサービスが実施可能であることが確認される。このように、ＤＶＤ装置３に設置されたＤＶＤに格納されるコンテンツが実施可能とされるため、テレビ２、ＤＶＤ装置３、ＨＤＲ６ａ、及びＶＴＲ８がサーチ動作を行ったとき（ＳＴＥＰ５１５ａ〜５１５ｄ）、それぞれの装置におけるサービスを認識する（ＳＴＥＰ５１６ａ〜５１６ｄ）。そのため、テレビ２及びＶＴＲ８は、そのサービスリストにおいて、ＤＶＤ装置３に設置されたＤＶＤに格納されるコンテンツの状態を、「Ｎｏｗ」のままとする。
【０１７２】
よって、テレビ２及びＶＴＲ８において、図３１（ｃ）のように、報知部２１２，８１２の動作が点滅のままとされ、引き続き、新規追加サービスがネットワーク１にあることが報知される（ＳＴＥＰ５１７ａ，５１７ｃ）。そして、テレビ２及びＶＴＲ８が操作待ちの状態となるとともに（ＳＴＥＰ５１８ａ，５１８ｃ）、ＤＶＤ装置３が送信動作とともに操作待ちの状態となる（ＳＴＥＰ５１８ｄ）。又、ＨＤＲ６ａが記録動作とともに操作待ちの状態となる（ＳＴＥＰ５１８ｂ）。
【０１７３】
その後、ユーザがテレビ２を操作すると（ＳＴＥＰ５１９）、テレビ２がサービスの実施の準備を行った後に（ＳＴＥＰ５２０ａ）、ＤＶＤ装置３におけるコンテンツのサービスを実施することが確定されると（ＳＴＥＰ５２１）、ＤＶＤ装置３からテレビ２に対してもサービスが提供されるとともに（ＳＴＥＰ５２２ｄ）、テレビ２によってサービスが実施される（ＳＴＥＰ５２２ａ）。即ち、テレビ２において、ＤＶＤ装置３から送信されるコンテンツデータによる映像及び音声が、映像表示部２０５及び音声出力部２０６それぞれで再生出力される。このとき、既に、ＨＤＲ６ａに対してＤＶＤ装置３からのコンテンツデータの送信動作が開始されているため、ＨＤＲ６ａに現在送信されているデータと同一のコンテンツデータが送信される。よって、テレビ２では、視聴されるコンテンツが途中から再生されることとなる。
【０１７４】
そして、ユーザがＤＶＤ装置３におけるコンテンツをテレビ２で視聴することが可能な状態となると（ＳＴＥＰ５２３）、図３１（ｄ）のように、テレビ２において、報知部２１２の動作が点滅から点灯に切り換えられて、サービスの提供をうけていることが報知される（ＳＴＥＰ５２４ａ）。又、このとき、テレビ２のサービスリストにおいて、ＤＶＤ装置３に設置されたＤＶＤに格納されるコンテンツの状態が「Ａｃｔｉｖｅ」に書き換えられる。
【０１７５】
又、ＤＶＤ装置３では、テレビ２及びＨＤＲ６ａの２台にコンテンツデータを送信していることを確認するため、設置されたＤＶＤのコンテンツによるサービスが実施禁止とする。このように、ＤＶＤ装置３に設置されたＤＶＤに格納されるコンテンツが実施不可とされるため、テレビ２、ＤＶＤ装置３、ＨＤＲ６ａ、及びＶＴＲ８がサーチ動作を行ったとき（ＳＴＥＰ５２５ａ〜５２５ｄ）、それぞれの装置におけるサービスを認識する（ＳＴＥＰ５２６ａ〜５２６ｄ）。そのため、ＶＴＲ８は、そのサービスリストにおいて、ＤＶＤ装置３に設置されたＤＶＤに格納されるコンテンツの状態を、「Ａｃｔｉｖｅ」に書き換える。
【０１７６】
よって、ＶＴＲ８においては、図３１（ｄ）のように、報知部８１２の動作が点滅から消灯に切り換えられて、実施可能な新規追加サービスがネットワーク１に存在しないことが報知される（ＳＴＥＰ５２７ｃ）。又、ＨＤＲ６ａが記録動作とともに操作待ちの状態となり（ＳＴＥＰ５２８ｂ）、テレビ２が再生動作とともに操作待ちの状態となる（ＳＴＥＰ５２７ａ）。更に、ＤＶＤ装置３が送信動作とともに操作待ちの状態となり（ＳＴＥＰ５２８ｄ）、ＶＴＲ８が操作待ちの状態となる（ＳＴＥＰ５２８ｃ）。
【０１７７】
尚、本実施形態においては、単純に、コンテンツ記録再生端末装置の台数によって、サービスを同時に提供できる台数を制限するものとしたが、その実施動作が記録動作又は再生動作のいずれであるかによって、制限する台数を決定しても構わない。よって、例えば、ＤＶＤ装置３に設置されたＤＶＤのコンテンツによるサービスの提供に対して、記録動作については１台のみを制限するとともに、再生動作については複数台数可能としたとき、例えば、このＤＶＤのコンテンツデータが既にＨＤＲ６ａで記録されているものとする。
【０１７８】
この場合、ＨＤＲ６ｂやＶＴＲ８などの記録動作用にサービスの提供を求める他のコンテンツ記録再生端末装置に対して、このサービスの提供を禁止することで、このコンテンツデータの記録を行っているＨＤＲ６ａ以外のコンテンツ記録再生端末装置に対して、コンテンツデータの記録を禁止する。それに対して、テレビ２などの再生動作用にサービスの提供を求めるコンテンツ記録再生端末装置に対しては、サービスの提供が許可されるため、コンテンツ記録再生端末装置に対しコンテンツ記録再生端末装置においてコンテンツの再生が行うことができる。
【０１７９】
尚、本実施形態において、コンテンツのサービスを提供する通信端末装置がＤＶＤ装置３であるものとし、サービスが提供されるコンテンツ記録再生端末装置をＨＤＲ６ａとＴＶ２としたが、ＴＶ２については、ＨＤＲ６ａで記録されたＤＶＤ装置３のコンテンツが提供されるものとしても構わない。尚、この提供するために使用される通信媒体としては、無線であっても構わないし、有線であっても構わない。
【０１８０】
＜第５の実施形態＞
本発明の第５の実施形態について、図面を参照して説明する。尚、本実施形態においても、第１の実施形態と同様、図１のような構成の通信システムが利用される。又、図１の通信システムを構成する各通信端末装置の構成については、第１の実施形態と同様、図３〜図８のような構成となる。
【０１８１】
本実施形態では、ＰＣ５、ＨＤＲ６ａ，６ｂ、ステレオ７ａ，７ｂ、及びＶＴＲ８などのコンテンツデータを記録することが可能なコンテンツ記録再生端末装置において新たにコンテンツデータを記録した場合に、この記録したコンテンツデータをサービスとして他のコンテンツ記録再生端末装置に提供可能な状態となったとき、新たにネットワーク１にサービスが追加されるものとする。
【０１８２】
即ち、テレビ２、ＰＣ５、及びステレオ７ａ，７ｂなどのネットワーク１外部からコンテンツデータを獲得する通信端末装置や、ＤＶＤ装置、ＰＣ５、ＨＤＲ６ａ，６ｂ、ステレオ７ａ，７ｂ、及びＶＴＲ８などの記録したコンテンツデータを読み出して出力する通信端末装置などから、コンテンツデータがコンテンツ記録再生端末装置に送信される。そして、このコンテンツ記録再生端末装置が、他の通信端末装置や外部から送信されたコンテンツデータを記録すると、この記録したコンテンツデータによるコンテンツが、ネットワーク１に属するコンテンツ記録再生端末装置において、ネットワーク１における新規追加サービスとして、設定記憶部内のサービスリストに追加される。又、このとき、サービスリストに新規追加サービスが追加されるため、報知部によって、ネットワーク１に新規追加サービスがあることを示す報知部の点滅動作が成される。
【０１８３】
このように各動作を行う通信端末装置により構成される通信システムにおける動作例について、図３２〜図３５を参照して説明する。尚、本動作例を説明するに当たって、その動作条件については、第４の実施形態での動作例と同様であるものとし、ＤＶＤ装置３へのＤＶＤの設置動作と、ＨＤＲ６ａでの録画動作とについても、第４の実施形態出の動作例と同様であるものとする。又、図３２及び図３３には、ユーザの動作に対する、テレビ２、ＤＶＤ装置３、ＨＤＲ６ａ、及びＶＴＲ８の状態遷移を示す図である。又、図３４は、図３２及び図３３の状態遷移を模式的に説明するための図である。尚、図３２及び図３３の状態遷移図において、図２９及び図３０の状態遷移図と同一の動作ステップについては、同一の符号を付してその詳細な説明を省略する。
【０１８４】
まず、第２及び第４の実施形態と同様、テレビ２、ＤＶＤ装置３、ＨＤＲ６ａ、及びＶＴＲ８が相互に通信して、操作待ちの状態となる（ＳＴＥＰ２７１ａ〜２７１ｄ，２７２ａ〜２７２ｄ）。その後、図３４（ａ）のように、ユーザによってＤＶＤがＤＶＤ装置３に設置されると（ＳＴＥＰ２７３）、ＤＶＤ装置３、テレビ２、ＨＤＲ６ａ、及びＶＴＲ８が、ＤＶＤ装置３に設置されたＤＶＤ内のコンテンツを認識する（ＳＴＥＰ２７４ｄ，２７５ａ〜２７５ｄ，２７６ａ〜２７６ｄ）。そして、図３４（ｂ）のように、テレビ２、ＨＤＲ６ａ、及びＶＴＲ８それぞれにおいて、報知部２１２，６１２，８１２が点滅した後（ＳＴＥＰ２７７ａ〜２７７ｃ）、テレビ２、ＤＶＤ装置３、ＨＤＲ６ａ、及びＶＴＲ８それぞれが操作待ちの状態となる（ＳＴＥＰ２７８ａ〜２７８ｄ）。
【０１８５】
その後、第４の実施形態と同様、ユーザがＨＤＲ６ａを操作したとき（ＳＴＥＰ５０９）、ＨＤＲ６ａがサービスの実施の準備を行った後（ＳＴＥＰ５１０ｂ）、新規に追加されたＤＶＤ装置３によるサービスの実施が確定されると（ＳＴＥＰ５１１）、ＤＶＤ装置３からＨＤＲ６ａに対して要求されるサービスが提供されるとともに（ＳＴＥＰ５１２ｄ）、ＨＤＲ６ａによってサービスが実施される（ＳＴＥＰ５１２ｂ）。よって、ＨＤＲ６ａにおいて、ＤＶＤ装置３から送信されるコンテンツデータがデータ記憶部６０７に格納され、ユーザがＤＶＤ装置３に設置されたＤＶＤに格納されたコンテンツをＨＤＲ６ａで録画する（ＳＴＥＰ５１３）。
【０１８６】
このように、ＨＤＲ６ａにおいては、ＤＶＤ装置３からのサービスを実施するため、図３４（ｃ）のように、報知部２１２の動作が点滅から点灯に切り換えられる（ＳＴＥＰ５１４ｂ）。又、このとき、ＤＶＤ装置３では、設置されたＤＶＤのコンテンツによるサービス可能なコンテンツ記録再生端末装置の台数が１台であるものとする。よって、ＤＶＤ装置３において、設置されたＤＶＤのコンテンツによるサービスが他のコンテンツ記録再生端末装置における実施が禁止される。即ち、テレビ２、ＤＶＤ装置３、ＨＤＲ６ａ、及びＶＴＲ８がサーチ動作を行ったとき（ＳＴＥＰ５１５ａ〜５１５ｄ，ＳＴＥＰ５１６ａ〜５１６ｄ）、テレビ２及びＶＴＲ８は、そのサービスリストにおいて、ＤＶＤ装置３に設置されたＤＶＤに格納されるコンテンツの状態を、「Ａｃｔｉｖｅ」に切り換える。
【０１８７】
よって、テレビ２及びＶＴＲ８において、図３４（ｃ）のように、報知部２１２，８１２の動作が点滅から消灯に切り換えられて、新規追加サービスがネットワーク１に存在しないことが報知される（ＳＴＥＰ６０１ａ，６０１ｃ）。そして、テレビ２及びＶＴＲ８が操作待ちの状態となるとともに（ＳＴＥＰ５１８ａ，５１８ｃ）、ＨＤＲ６ａが記録動作とともに操作待ちの状態となり（ＳＴＥＰ５１８ｂ）、更には、ＤＶＤ装置３が送信動作とともに操作待ちの状態となる（ＳＴＥＰ５１８ｄ）。このようにして、ＨＤＲ６ａにおいて録画動作がおこなわれて、ＤＶＤ装置３に設置されたＤＶＤによるコンテンツのコンテンツデータがデータ記憶部６０７に格納される。
【０１８８】
その後、このようにデータ記憶部６０７に格納されるコンテンツが再生可能な状態になる（ＳＴＥＰ６０２ｂ）。そして、テレビ２、ＤＶＤ装置３、ＨＤＲ６ａ、及びＶＴＲ８がサーチ動作を行うと（ＳＴＥＰ６０３ａ〜６０３ｄ）、テレビ２、ＤＶＤ装置３、及びＶＴＲ８がＨＤＲ６ａのデータ記憶部６０７に新たに格納されたコンテンツによるサービスを認識する（ＳＴＥＰ６０４ａ〜６０４ｄ）。このとき、テレビ２及びＶＴＲ８はそれぞれ、このＨＤＲ６ａのデータ記憶部６０７に新たに格納されたコンテンツによるサービスをサービスリストに追加して設定記憶部２０８，８０８に格納する。又、ＨＤＲ６ａは、サービスのサーチ動作が終了した後、録画動作を行うとともに操作待ち状態となる（ＳＴＥＰ６０６ｂ）。
【０１８９】
このようにして、テレビ２及びＶＴＲ８それぞれにおいて、ＨＤＲ６ａのデータ記憶部６０７に新たに格納されたコンテンツによるサービスがネットワーク１に新規に追加されたことが確認されるため、この新規追加サービスを確認したテレビ２及びＶＴＲ８それぞれにおいて、図３４（ｄ）のように、報知部２１２，８１２が点滅する（ＳＴＥＰ６０５ａ，６０５ｃ）。そして、テレビ２及びＶＴＲ８それぞれが操作待ちの状態となる（ＳＴＥＰ６０６ａ，６０６ｃ）。又、ＤＶＤ装置３が送信動作とともに操作待ちの状態となる（ＳＴＥＰ６０６ｄ）。
【０１９０】
その後、ユーザがテレビ２を操作すると（ＳＴＥＰ６０７）、テレビ２がサービスの実施の準備を行った後に（ＳＴＥＰ６０８ａ）、ＨＤＲ６ａのデータ記憶部６０７に新たに格納されたコンテンツのサービスを実施することが確定されると（ＳＴＥＰ６０９）、ＨＤＲ６ａからテレビ２に対してサービスが提供されるとともに（ＳＴＥＰ６１０ｂ）、テレビ２によってサービスが実施される（ＳＴＥＰ６１０ａ）。
【０１９１】
即ち、テレビ２において、ＨＤＲ６ａから送信されるコンテンツデータによる映像及び音声が、映像表示部２０５及び音声出力部２０６それぞれで再生出力される。このとき、既に、ＨＤＲ６ａでは、ＤＶＤ装置３から送信されるコンテンツのコンテンツデータをデータ記憶部６０７に格納するとともに、データ記憶部６０７に格納されているコンテンツデータが読み出されて、テレビ２に送信される。よって、テレビ２では、ＤＶＤ装置３に設置されたＤＶＤによるコンテンツが最初の部分から再生されることとなる。
【０１９２】
そして、ユーザがＨＤＲ６ａに格納されたコンテンツをテレビ２で視聴することが可能な状態となると（ＳＴＥＰ６１１）、図３４（ｅ）のように、テレビ２において、報知部２１２の動作が点滅から点灯に切り換えられて、サービスの提供をうけていることが報知される（ＳＴＥＰ６１２ａ）。又、このとき、テレビ２のサービスリストにおいて、ＨＤＲ６ａのデータ記憶部６０７に新たに格納されるコンテンツの状態が「Ａｃｔｉｖｅ」に書き換えられる。
【０１９３】
又、このとき、ＨＤＲ６ａでは、新たにデータ記憶部６０７に格納されたコンテンツによるサービス可能なコンテンツ記録再生端末装置の台数が１台であるものとする。よって、ＨＤＲ６ａにおいて、新たに格納されたコンテンツによるサービスが他のコンテンツ記録再生端末装置における実施が禁止される。即ち、テレビ２、ＤＶＤ装置３、ＨＤＲ６ａ、及びＶＴＲ８がサーチ動作を行ったとき（ＳＴＥＰ６１３ａ〜６１３ｄ）、それぞれの装置におけるサービスを認識し（ＳＴＥＰ６１４ａ〜６１４ｄ）、ＶＴＲ８が、そのサービスリストにおいて、ＨＤＲ６ａに新たに格納されるコンテンツの状態を、「Ａｃｔｉｖｅ」に切り換える。
【０１９４】
よって、ＶＴＲ８においては、図３４（ｅ）のように、報知部８１２の動作が点滅から消灯に切り換えられて、実施可能な新規追加サービスがネットワーク１に存在しないことが報知される（ＳＴＥＰ６１５ｃ）。又、ＨＤＲ６ａが記録動作及び送信動作とともに操作待ちの状態となり（ＳＴＥＰ６１６ｂ）、テレビ２が再生動作とともに操作待ちの状態となる（ＳＴＥＰ６１６ａ）。そして、ＤＶＤ装置３が送信動作とともに操作待ちの状態となり（ＳＴＥＰ６１６ｄ）、ＶＴＲ８が操作待ちの状態となる（ＳＴＥＰ６１６ｃ）。
【０１９５】
このように、本動作例では、ＤＶＤ装置３に設置されたＤＶＤ内のコンテンツデータをＨＤＲ６ａに格納した後、ＨＤＲ６ａに格納されたコンテンツデータによるコンテンツをテレビ２で再生して視聴可能とするものとした。このとき、ＤＶＤ装置３に設置されたＤＶＤ内のコンテンツの記録可能な回数が一度だけに制限されている場合、上述のように、ＨＤＲ６ａにコンテンツが記録されると、テレビ２などのように再生可能なコンテンツ記録再生端末装置に対して再生は許可されるが、ＶＴＲ８などの記録動作を行うコンテンツ記録再生端末装置に対して記録動作が禁止される。
【０１９６】
又、ＤＶＤ装置３に設置されたＤＶＤ内のコンテンツの記録について複数回可能としたとき、図３５のように状態遷移をするようにしても構わない。即ち、まず、ＤＶＤがＤＶＤ装置３に設置されると、図３５（ａ）のように、テレビ２、ＨＤＲ６ａ、及びＶＴＲ８それぞれの報知部２１２，６１２，８１２が点滅する。そして、ＶＴＲ８によってＤＶＤ装置３のＤＶＤにおけるコンテンツを記録すると、図３５（ｂ）のように、ＶＴＲ８の報知部８１２が点灯に切り換えられる。このとき、他のコンテンツ記録再生端末装置に対するサービスの提供が禁止されるため、テレビ２及びＨＤＲ６ａの報知部２１２，６１２が消灯する。
【０１９７】
そして、図３５（ｃ）のように、ＶＴＲ８においてＤＶＤにおけるコンテンツの記録が終了して、その報知部８１２が消灯するととともに、ＶＴＲ８に設置されたテープに格納されているコンテンツが再生可能な状態となると、テレビ２及びＨＤＲ６ａそれぞれの報知部２１２，６１２が点滅する。このとき、ＨＤＲ６ａによって、ＶＴＲ８で記録されたＤＶＤのコンテンツを記録すると、図３６（ａ）のように、ＨＤＲ６ａの報知部６１２が点滅から点灯に切り換えられるとともに、テレビ２の報知部２１２が点滅から消灯に切り換えられる。その後、ＨＤＲ６ａに記録されたコンテンツが送信可能な状態となると、ＶＴＲ８が送信動作を行っているため、図３６（ｂ）のように、テレビ２の報知部２１２が点滅する。そして、テレビ２でＨＤＲ６ａで格納されたＤＶＤのコンテンツの再生が行われるとともに、図３６（ｃ）のように、テレビ２の報知部２１２が点滅から点灯に切り換えられる。
【０１９８】
このように、本実施形態では、記録媒体やデータ記憶部に新たに記録されたコンテンツが送信可能な状態となると、このコンテンツによるサービスをネットワーク１に新規に追加されたサービスとして認識することができる。又、そのコンテンツの記録回数を制限することによって、既に制限回数となったときに、そのコンテンツを受信する側のコンテンツ記録再生端末に対して記録動作を禁止することができる。又、本実施形態のように、コンテンツが記録されるときに、その記録されたコンテンツが再生可能な状態となった状態で、別のコンテンツ記録再生端末装置で再生又は記録可能とするだけでなく、第５の実施形態のように、１つのコンテンツ記録再生端末装置より複数のコンテンツ記録再生端末装置に対して再生又は記録可能とするようにしても構わない。
【０１９９】
＜各装置における報知部の構成例＞
上述の各実施形態のように、通信システムを構成する各通信端末装置が動作することで、各通信端末装置に設けられた報知部によって、自機器の状態及びネットワークに新規にサービスが追加されたことを報知することができる。この各通信端末装置の備える報知部の構成例について、以下に説明する。
【０２００】
（構成の第１例）
この報知部を備える通信端末装置の第１例として、テレビ２における構成を図３７に示す。図３７に示すテレビ２は、報知部２１２として、発光素子２５０が設置されるとともに、操作部２０９として、電源スイッチ２５１及びサービスの実施を要求するためのサービス実施専用のスイッチ２５２が設置される。このように構成されるテレビ２において、上述の各実施形態のように、発光素子２５０の発光動作が、「点滅」、「点灯」、「消灯」となることにより、新規追加サービスの存否及び現在の動作状態を示すものとする。
【０２０１】
そして、このとき、発光素子２５０が点滅動作を行うことで、新規追加サービスがネットワーク１に存在することを報知するとき、この発光素子２５０の色又は発光強度又は点滅速度などに基づいて、新規追加サービスが「動画コンテンツ」、「静止画コンテンツ」、「音声コンテンツ」のいずれであるか示すものとしても構わない。又、発光素子２５０が点灯動作を行うことで、サービスを実施していることを報知するとき、この発光素子２５０の色又は発光強度に基づいて、実施しているサービスが「動画コンテンツ」、「静止画コンテンツ」、「音声コンテンツ」のいずれであるか示すものとしても構わない。尚、発光素子２５０の「点滅」及び「点灯」がそれぞれ、「サービスの実施」及び「新規追加サービスの存在」を表すものとしても構わない。
【０２０２】
又、発光素子２５０が点滅動作を行うことで、新規追加サービスが存在することを報知しているときに、電源スイッチ２５１が操作されると、映像表示部２０５に、新規追加サービスの実施の可否を問う表示を行うものとしても構わない。そして、このとき、スイッチ２５２を操作することによって、現在、実施の可否が問われているサービスを実施することが指示されるものとしても構わない。即ち、ＤＶＤ装置３にＤＶＤが設置されて、このＤＶＤのコンテンツによるサービスが新規追加サービスとなるとき、発光素子２５０が点滅した状態で電源スイッチ２５１が操作されると、図３８に示すように、映像表示部２０５に、「ＤＶＤを再生しますか？」という実施の可否を問う表示が成される。その後、スイッチ２５２が操作されることで、ＤＶＤによるコンテンツが再生される。
【０２０３】
尚、テレビ２に限らず、例えば、図３９に示すＨＤＲ６のように、他の通信端末装置においても同様に構成することができる。尚、図３６では、報知部６１２として、発光素子６５０を備えるとともに、操作部６０９として、電源スイッチ６５１及びサービスの実施を要求するためのサービス実施専用のスイッチ６５２が設置される。又、この操作部６０９では、コンテンツの記録や再生などを指示するためのコンテンツ操作スイッチ６５３も備える。このように構成されるＨＤＲ６は、更に、発光素子６５０が点滅動作を行うことで、新規追加サービスが存在することを報知しているとき、表示部６１６において、例えば、「Ｃｏｐｙ  ｆｒｏｍ  ＤＶＤ？」といった表示のように、新規追加サービスの実施の可否を問う表示を行う。
【０２０４】
（構成の第２例）
又、報知部を備える通信端末装置の第２例として、第１例と同様、テレビ２における構成を図４０に示す。図４０に示すテレビ２は、図３７の構成に更に、報知部２１２として、発光素子２５５が設置される。このとき、発光素子２５０が新規追加サービスの可否を示すために動作し、発光素子２５５がテレビ２の動作状態を示すために動作する。即ち、新規追加サービスがネットワーク１に存在するか否かが、発光素子２５０の点灯状態によって報知され、又、サービスの実施状況が発光素子２５５の点灯状態によって報知される。このように構成することで、発光素子２５５を複数備えるものとし、その点灯させる数量に応じて、実施するサービスを提供する通信端末装置や、提供されるサービスの種類や、サービスを提供する通信品質などが確認できる。
【０２０５】
又、この図４０に示すテレビ２のように、携帯端末４においても、報知部４１２として複数の発光素子を備えることで、その発光素子の一部によって新規追加サービスの存否が示されるとともに、残りの発光素子によって携帯端末４の動作状態が示されるものとすることができる。このように携帯端末４が構成されることで、携帯端末４の動作状態を示す発光素子を発光させるとき、その発光させる発光素子の組合せ、色、発光強度、又は点滅速度に基づいて、携帯端末４の通信状態や消費電力の状態を示すことができる。
【０２０６】
（構成の第３例）
又、報知部を備える通信端末装置の第３例として、第１例と同様、テレビ２における構成を図４１に示す。図４１に示すテレビ２は、図３７の構成に更に、報知部２１２として、新規追加サービスに関する情報が表示される専用表示窓２５６が設置される。このとき、専用表示窓２５６において、新規追加サービスの種類（動画コンテンツ、静止画コンテンツ、音声コンテンツなど）や通信品質などのサービスの品質（ＳＤ、ＨＤ、ＭＰＥＧ４など）やコンテンツ名や提供する通信端末装置名が表示される。よって、新規追加サービスがどのようなサービスであるのかを確認することができる。
【０２０７】
このとき、専用表示窓２５６に表示されるサービスの品質やコンテンツ名が、図４２（ａ）のようなアイコン３００ａ〜３００ｄなどで表示されるものとしても構わないし、サービスを提供する通信端末装置名が、図４２（ｂ）のようなアイコン３０１ａ〜３０１ｄなどで表示されるものとしても構わない。尚、図４２において、アイコン３００ａ〜３００ｄそれぞれが、「ＨＤ映像コンテンツ」、「ＳＤ映像コンテンツ」、「静止画コンテンツ」、「音楽コンテンツ」であることを示し、アイコン３０１ａ〜３０１ｄそれぞれが、「ＤＶＤ装置」、「ＢＳチューナ」、「携帯端末」、「ステレオ」であることを示すものとする。
【０２０８】
（構成の第４例）
又、報知部の構成の第４例として、第１例と同様、発光素子２５０によって構成されるとともに、発光素子２５０の発光動作が、「点滅」、「点灯」、「消灯」となることにより、新規追加サービスの存否及び現在の動作状態を示すものとする。即ち、新規追加サービスがあるときには、発光素子２５０が点滅し、自機器がサービスの実施を行っているときには、発光素子２５０が点灯し、新規追加サービスがないときには、発光素子２５０が消灯する。そして、発光素子２５０が点滅して、新規追加サービスがあることを示すときに、図４３（ａ）〜（ｃ）のように、発光素子２５０の点滅する色や輝度や点滅状態を変えることによって、新規追加サービスにおけるコンテンツの種類が示される。
【０２０９】
即ち、色によってコンテンツの種類が決定されるとき、例えば、図４３（ａ）のように、発光素子２５０の点滅する色が「青」、「緑」、「赤」、「黄」となることによって、新規追加サービスが「ＨＤ映像コンテンツ」、「ＳＤ映像コンテンツ」、「静止画コンテンツ」、「音楽コンテンツ」であることを示すものとしても構わない。又、点滅状態によってコンテンツの種類が決定されるとき、例えば、図４３（ｂ）のように、発光素子２５０の点滅する点滅する時間が「０．１秒」、「０．２秒」、「０．５秒」、「１秒」となることによって、新規追加サービスが「ＨＤ映像コンテンツ」、「ＳＤ映像コンテンツ」、「静止画コンテンツ」、「音楽コンテンツ」であることを示すものとしても構わない。又、輝度値によってコンテンツの種類が決定されるとき、例えば、図４３（ｃ）のように、発光素子２５０の点滅する際の輝度が「最高輝度」、「高輝度」、「通常輝度」、「低輝度」となることによって、新規追加サービスが「ＨＤ映像コンテンツ」、「ＳＤ映像コンテンツ」、「静止画コンテンツ」、「音楽コンテンツ」であることを示すものとしても構わない。
【０２１０】
更に、発光素子２５０を発光素子２５０ａ〜２５０ｄの複数とし、図４４のように、発光素子２５０ａ〜２５０ｄの設置位置を異なる箇所としても構わない。このとき、発光素子２５０ａ〜２５０ｄそれぞれが「点滅」することによって、例えば、新規追加サービスが「ＨＤ映像コンテンツ」、「ＳＤ映像コンテンツ」、「静止画コンテンツ」、「音楽コンテンツ」であることを示すものとしても構わない。又、発光素子２５０ａ〜２５０ｄそれぞれが「点灯」することによって、例えば、提供されているサービスが「ＨＤ映像コンテンツ」、「ＳＤ映像コンテンツ」、「静止画コンテンツ」、「音楽コンテンツ」であることを示すものとしても構わない。更に、発光素子２５０ａ〜２５０ｄそれぞれの「点滅」又は「点灯」する際の色や輝度値を異なるものとしても構わないし、発光素子２５０ａ〜２５０ｄそれぞれの「点滅」する際の点滅状態を異なるものとしても構わない。
【０２１１】
（構成の第５例）
又、報知部の構成の第５例として、第４例と同様、発光素子２５０によって構成されるとともに、発光素子２５０の発光動作が、「点滅」、「点灯」、「消灯」となることにより、新規追加サービスの存否及び現在の動作状態を示すものとする。しかしながら、本例においては、発光素子２５０として、図４５に示すように、３つの発光素子２５０ａ〜２５０ｃを備える。そして、この発光素子２５０ａ〜２５０ｃのうち「点滅」又は「点灯」しているものの組合せによって、新規追加サービスの種類と現在自機器に提供されているサービスの種類とを確認することができる。
【０２１２】
即ち、新規追加サービスがないときには、図４５（ａ）のように、発光素子２５０ａ〜２５０ｃ全てが消灯している状態となる。そして、図４５（ｂ）のように、発光素子２５０ａ〜２５０ｃ全てが「点滅」すると、新規追加サービスが「ＨＤ映像コンテンツ」であることを示し、図４５（ｃ）のように、発光素子２５０ａ，２５０ｃが「点滅」すると、新規追加サービスが「ＳＤ映像コンテンツ」であることを示し、図４５（ｄ）のように、発光素子２５０ａ，２５０ｂが「点滅」すると、新規追加サービスが「静止画コンテンツ」であることを示し、図４５（ｅ）のように、発光素子２５０ｂのみが「点滅」すると、新規追加サービスが「音声コンテンツ」であることを示す。
【０２１３】
又、図４５（ｆ）のように、発光素子２５０ａ〜２５０ｃ全てが「点灯」すると、提供されているサービスが「ＨＤ映像コンテンツ」であることを示し、図４５（ｇ）のように、発光素子２５０ａ，２５０ｃが「点灯」すると、提供されているサービスが「ＳＤ映像コンテンツ」であることを示し、図４５（ｈ）のように、発光素子２５０ａ，２５０ｂが「点灯」すると、提供されているサービスが「静止画コンテンツ」であることを示し、図４５（ｉ）のように、発光素子２５０ｂのみが「点灯」すると、提供されているサービスが「音声コンテンツ」であることを示す。
【０２１４】
（構成の第６例）
又、報知部の構成の第６例として、第５例と同様、複数の発光素子２５０ａ〜２５０ｃによって構成されるとともに、発光素子２５０の発光動作「点灯」及び「消灯」の組合せにより、新規追加サービスの存否及び現在の動作状態を示すものとする。本例では、新規追加サービスがないときには、図４６（ａ）のように、発光素子２５０ａ〜２５０ｃ全てが「消灯」している状態となり、又、サービスが提供されているときは、その提供されているサービスの種類にかかわらず、図４６（ｂ）のように、発光素子２５０ａ〜２５０ｃ全てが「点灯」している状態となる。
【０２１５】
又、図４６（ｃ）のように、発光素子２５０ａ，２５０ｃが「点灯」すると、新規追加サービスが「ＨＤ映像コンテンツ」であることを示し、図４６（ｄ）のように、発光素子２５０ａが「点灯」すると、新規追加サービスが「ＳＤ映像コンテンツ」であることを示し、図４６（ｅ）のように、発光素子２５０ｃが「点灯」すると、新規追加サービスが「静止画コンテンツ」であることを示し、図４６（ｆ）のように、発光素子２５０ｂのみが「点灯」すると、新規追加サービスが「音声コンテンツ」であることを示す。
【０２１６】
（構成の第７例）
又、報知部の構成の第７例として、第５例と同様、複数の発光素子２５０ａ〜２５０ｃによって構成されるとともに、発光素子２５０の発光動作が、「点滅」、「点灯」、「消灯」となることにより、新規追加サービスの存否及び現在の動作状態を示すものとする。又、本例では、発光素子２５０ａ〜２５０ｃのうちの「点滅」する個数によって、新規追加サービスの提供が許可される装置数が示される。このとき、サービスが提供される側となるコンテンツ記録再生端末装置においては、図４７のように、発光素子２５０ａ〜２５０ｃを動作させる。
【０２１７】
即ち、新規追加サービスがないときには、図４７（ａ）のように、発光素子２５０ａ〜２５０ｃ全てが「消灯」している状態となり、又、サービスが提供されているときは、図４７（ｂ）のように、発光素子２５０ａ〜２５０ｃ全てが「点灯」している状態となる。更に、図４７（ｃ）のように、発光素子２５０ａのみが「点滅」しているときは、新規追加サービスの提供可能な装置数が１台であることを示し、図４７（ｄ）のように、発光素子２５０ａ，２５０ｂが「点滅」しているときは、新規追加サービスの提供可能な装置数が２台であることを示し、図４７（ｅ）のように、発光素子２５０ａ〜２５０ｃ全てが「点滅」しているときは、新規追加サービスの提供可能な装置数が３台であることを示す。
【０２１８】
又、このようなコンテンツ記録再生端末装置にサービスを提供する側となる通信装置においても、発光素子２５０ａ〜２５０ｃを備え、この発光素子２５０ａ〜２５０ｃが図４８に示す発光動作を行うことで、自機器のサービスの状態を示すことができる。自機器のサービスがいずれのコンテンツ記録再生端末装置にも提供されずに、且つ、新規追加サービスでもないとき、図４８（ａ）のように、発光素子２５０ａ〜２５０ｃ全てが「消灯」している状態となり、又、自機器のサービスが３台のコンテンツ記録再生端末装置に提供されているとき、図４８（ｂ）のように、発光素子２５０ａ〜２５０ｃ全てが「点灯」している状態となる。
【０２１９】
更に、自機器のサービスが新規追加サービスでない状態で１台のコンテンツ記録再生端末装置に提供されているとき、図４８（ｃ）のように、発光素子２５０ａのみが「点灯」するとともに発光素子２５０ｂ，２５０ｃが「消灯」し、自機器のサービスが新規追加サービスでない状態で２台のコンテンツ記録再生端末装置に提供されているとき、図４８（ｄ）のように、発光素子２５０ａ，２５０ｂが「点灯」するとともに発光素子２５０ｃのみが「消灯」する。
【０２２０】
又、自機器のサービスの提供可能なコンテンツ記録再生端末装置の台数が３台であるときに、自機器のサービスが新規追加サービスとなると、図４８（ｅ）のように、発光素子２５０ａ〜２５０ｃが全て「点滅」する。そして、このとき、１台のコンテンツ記録再生端末装置に提供されると、図４８（ｆ）のように、発光素子２５０ａのみが「点灯」するとともに発光素子２５０ｂ，２５０ｃが「点滅」し、２台のコンテンツ記録再生端末装置に提供されると、図４８（ｇ）のように、発光素子２５０ａ，２５０ｂが「点灯」するとともに発光素子２５０ｃのみが「点滅」する。
【０２２１】
又、自機器のサービスの提供可能なコンテンツ記録再生端末装置の台数が２台であるときに、自機器のサービスが新規追加サービスとなると、図４８（ｈ）のように、発光素子２５０ａ，２５０ｂが「点滅」するとともに、発光素子２５０ｃが「消灯」する。そして、このとき、１台のコンテンツ記録再生端末装置に提供されると、図４８（ｉ）のように、発光素子２５０ａが「点灯」するとともに発光素子２５０ｂが「点滅」したままとなり、発光素子２５０ｃが「消灯」のままとなる。又、２台のコンテンツ記録再生端末装置に提供されると、図４８（ｄ）のように、発光素子２５０ａ，２５０ｂが「点灯」するとともに発光素子２５０ｃのみが「消灯」する。
【０２２２】
更に、自機器のサービスの提供可能なコンテンツ記録再生端末装置の台数が１台であるときに、自機器のサービスが新規追加サービスとなると、図４８（ｊ）のように、発光素子２５０ａが「点滅」するとともに、発光素子２５０ｂ，２５０ｃが「消灯」する。そして、このとき、１台のコンテンツ記録再生端末装置に提供されると、図４８（ｃ）のように、発光素子２５０ａのみが「点灯」するとともに発光素子２５０ｂ，２５０ｃが「消灯」する。
【０２２３】
尚、上述の報知部の構成の第５例〜第７例において、発光素子２５０ａ〜２５０ｃそれぞれの「点滅」又は「点灯」する際の色や輝度値を異なるものとしても構わないし、発光素子２５０ａ〜２５０ｃそれぞれの「点滅」する際の点滅状態を異なるものとしても構わない。又、図４９のように、発光素子２５０を更に複数備えるとともに、新規追加サービスがある場合は、図４９（ａ）のように「消灯」するとともに、サービスが提供されている場合は、図４９（ｂ）のように「点灯」するものとしても構わない。このとき、新規追加サービスがある場合は、図５０のように、隣接する２つの発光素子２５０を時間ｔ毎に順番に点灯させ、点灯させる２つの発光素子２５０を循環させるようにしても構わない。
【０２２４】
尚、上述において、各通信端末装置の報知部が、発光素子や表示窓によって構成されるものとしたが、音声出力部によって構成されるものとし、その音色やメロディーによって、新規追加サービスの可否と通信端末装置の動作状態とを報知するものとしても構わない。更に、この音色やメロディーを変更することによって、実施するサービスを提供する通信端末装置や、提供されるサービスの種類や、サービスを提供する通信品質などが確認できるものとしても構わない。更に、サービスの提供が開始されることを、発光素子や表示窓の表示や音声出力部からの音声出力によって報知されるものとしても構わない。このとき、サービスを提供される側において、サービスの提供の開始が報知されるものとしても構わないし、サービスが提供される側において、サービスの提供の開始が報知されるものとしても構わない。
【図面の簡単な説明】
【０２２５】
【図１】は、本発明の各実施形態における通信システムの一構成を示すブロック図である。
【図２】は、本発明の第１の実施形態における通信システムの動作例を示すための概略図である。
【図３】は、図１の通信システムにおける携帯端末の内部構成を示すブロック図である。
【図４】は、図１の通信システムにおけるテレビの内部構成を示すブロック図である。
【図５】は、図１の通信システムにおけるステレオの内部構成を示すブロック図である。
【図６】は、図１の通信システムにおけるＤＶＤ装置の内部構成を示すブロック図である。
【図７】は、図１の通信システムにおけるＰＣの内部構成を示すブロック図である。
【図８】は、図１の通信システムにおけるＨＤＲの内部構成を示すブロック図である。
【図９】は、図１の通信システムにおけるＶＴＲの内部構成を示すブロック図である。
【図１０】は、サービスリストへのサービスの追加動作を示すフローチャートである。
【図１１】は、サービスリストへのサービスの削除動作を示すフローチャートである。
【図１２】は、テレビにおけるサービスリストの例を示す図である。
【図１３】は、ステレオにおけるサービスリストの例を示す図である。
【図１４】は、第１の実施形態における通信システム内のコンテンツ記録再生端末装置によるサービスの開始判定動作を示すフローチャートである。
【図１５】は、第１の実施形態における通信システムの一動作例を説明するための状態遷移図である。
【図１６】は、図１５の状態遷移を模式的に説明するための図である。
【図１７】は、第１の実施形態における通信システムの別の動作例を説明するための状態遷移図である。
【図１８】は、第２の実施形態における通信システム内のコンテンツ記録再生端末装置によるサービスの開始判定動作を示すフローチャートである。
【図１９】は、第２の実施形態における通信システムの一動作例を説明するための状態遷移図である。
【図２０】は、図１９の状態遷移を模式的に説明するための図である。
【図２１】は、第３の実施形態における通信システム内のコンテンツ記録再生端末装置の報知部による報知動作を示すフローチャートである。
【図２２】は、第３の実施形態における通信システム内のコンテンツ記録再生端末装置によるサービスの開始判定動作を示すフローチャートである。
【図２３】は、第３の実施形態における通信システム内のコンテンツ記録再生端末装置によるサービスリストの表示例である。
【図２４】は、第３の実施形態における通信システムの一動作例を説明するための状態遷移図である。
【図２５】は、図２４の状態遷移を模式的に説明するための図である。
【図２６】は、第３の実施形態における通信システム内のコンテンツ記録再生端末装置によるサービスリストの別の表示例である。
【図２７】は、図２６の表示例による表示を行うときのサービスリストの構成を示す図である。
【図２８】は、通信システム内のコンテンツ記録再生端末装置によるサービスの開始判定動作を示すフローチャートである。
【図２９】は、第４の実施形態における通信システムの一動作例を説明するための状態遷移図である。
【図３０】は、第４の実施形態における通信システムの一動作例を説明するための状態遷移図である。
【図３１】は、図２９及び図３０の状態遷移を模式的に説明するための図である。
【図３２】は、第５の実施形態における通信システムの一動作例を説明するための状態遷移図である。
【図３３】は、第５の実施形態における通信システムの一動作例を説明するための状態遷移図である。
【図３４】は、図３２及び図３３の状態遷移を模式的に説明するための図である。
【図３５】は、第５の実施形態における通信システムの別の動作例における状態遷移を模式的に説明するための図である。
【図３６】は、第５の実施形態における通信システムの別の動作例における状態遷移を模式的に説明するための図である。
【図３７】は、報知部を備えたテレビの構成例を示す外観図である。
【図３８】は、図３７の構成を備えたテレビの表示例である。
【図３９】は、報知部を備えたＨＤＲの構成例を示す外観図である。
【図４０】は、報知部を備えたテレビの別の構成例を示す外観図である。
【図４１】は、報知部を備えたテレビの別の構成例を示す外観図である。
【図４２】は、専用表示窓に表示されるアイコンを示す図である。
【図４３】は、報知部の構成の第４例を説明するための図である。
【図４４】は、報知部を備えたテレビの別の構成例を示す外観図である。
【図４５】は、報知部の構成の第５例を説明するための図である。
【図４６】は、報知部の構成の第６例を説明するための図である。
【図４７】は、報知部の構成の第７例を説明するための図である。
【図４８】は、サービス提供側の報知部を説明するための図である。
【図４９】は、報知部の構成の別の例を説明するための図である。
【図５０】は、報知部の構成の別の例を説明するための図である。
【符号の説明】
【０２２６】
１    ネットワーク
２    ＴＶ
３    ＤＶＤ
４    携帯端末
５    ＰＣ
６ａ，６ｂ    ＨＤＲ
７ａ，７ｂ    ステレオ
８    ＶＴＲ
【図１】
2006113880.tif 000003
【図２】
2006113880.tif 000004
【図３】
2006113880.tif 000005
【図４】
2006113880.tif 000006
【図５】
2006113880.tif 000007
【図６】
2006113880.tif 000008
【図７】
2006113880.tif 000009
【図８】
2006113880.tif 000010
【図９】
2006113880.tif 000011
【図１０】
2006113880.tif 000012
【図１１】
2006113880.tif 000013
【図１２】
2006113880.tif 000014
【図１３】
2006113880.tif 000015
【図１４】
2006113880.tif 000016
【図１５】
2006113880.tif 000017
【図１６】
2006113880.tif 000018
【図１７】
2006113880.tif 000019
【図１８】
2006113880.tif 000020
【図１９】
2006113880.tif 000021
【図２０】
2006113880.tif 000022
【図２１】
2006113880.tif 000023
【図２２】
2006113880.tif 000024
【図２３】
2006113880.tif 000025
【図２４】
2006113880.tif 000026
【図２５】
2006113880.tif 000027
【図２６】
2006113880.tif 000028
【図２７】
2006113880.tif 000029
【図２８】
2006113880.tif 000030
【図２９】
2006113880.tif 000031
【図３０】
2006113880.tif 000032
【図３１】
2006113880.tif 000033
【図３２】
2006113880.tif 000034
【図３３】
2006113880.tif 000035
【図３４】
2006113880.tif 000036
【図３５】
2006113880.tif 000037
【図３６】
2006113880.tif 000038
【図３７】
2006113880.tif 000039
【図３８】
2006113880.tif 000040
【図３９】
2006113880.tif 000041
【図４０】
2006113880.tif 000042
【図４１】
2006113880.tif 000043
【図４２】
2006113880.tif 000044
【図４３】
2006113880.tif 000045
【図４４】
2006113880.tif 000046
【図４５】
2006113880.tif 000047
【図４６】
2006113880.tif 000048
【図４７】
2006113880.tif 000049
【図４８】
2006113880.tif 000050
【図４９】
2006113880.tif 000051
【図５０】
2006113880.tif 000052